(57)【要約】  本発明は、タッチスクリーン上のファイル表示方法、装置、プログラム及び記憶媒体に関し、ヒューマンコンピュータインタラクション分野に属する。前記方法は、前記タッチスクリーン上に、電子ファイルの辺縁及び複数の表示要素を含む、前記電子ファイルの辺縁領域を表示するステップと、前記タッチスクリーン上に作用する対象の移動を検出するステップと、前記対象の移動に応答して、前記複数の表示要素を前記辺縁から遠くなる方向に引伸ばして表示するステップとを含む。本発明によると、ユーザに、既に電子ファイルの辺縁まで表示されたことを明確に通知できて、ユーザの実際に操作意味がない平行移動操作の繰り返し実行を避けて、ユーザの操作効率を高めた。  【選択図】図１
2017510918.tif 000002
【特許請求の範囲】
【請求項１】
タッチスクリーン上に、電子ファイルの辺縁及び複数の表示要素を含む、前記電子ファイルの辺縁領域を表示するステップと、
前記タッチスクリーン上に作用する対象の移動を検出するステップと、
前記対象の移動に応答して、前記複数の表示要素を前記辺縁から遠くなる方向に引伸ばして表示するステップと
を含むことを特徴とするタッチスクリーン上のファイル表示方法。
【請求項２】
前記複数の表示要素を前記辺縁から遠くなる方向に引伸ばして表示するステップは、
前記辺縁領域中の全部の表示要素を、前記辺縁から遠くなる方向に引伸ばして表示するステップ
を含むことを特徴とする請求項１に記載のタッチスクリーン上のファイル表示方法。
【請求項３】
前記複数の表示要素を前記辺縁から遠くなる方向に引伸ばして表示するステップは、
前記辺縁から最も近いｎ（ｎは正の整数である）行の表示要素の表示状態をそのまま維持するステップと、
前記辺縁から最も近いｎ行の表示要素以外の他の行の表示要素を、前記辺縁から遠くなる方向に引伸ばして表示するステップと
を含むことを特徴とする請求項１に記載のタッチスクリーン上のファイル表示方法。
【請求項４】
前記複数の表示要素を前記辺縁から遠くなる方向に引伸ばして表示するステップは、
前記辺縁と対象位置との間に位置する表示要素を、前記辺縁から遠くなる方向に引伸ばして表示するステップを含み、
ここで、前記対象位置は、前記タッチスクリーンにおける前記対象に対応する作用位置である
ことを特徴とする請求項１に記載のタッチスクリーン上のファイル表示方法。
【請求項５】
前記複数の表示要素を前記辺縁から遠くなる方向に引伸ばして表示するステップは、
前記辺縁と対象位置との間に位置する表示要素の中の、前記辺縁から最も近いｎ（ｎは正の整数である）行の表示要素以外の他の行の表示要素を、前記辺縁から遠くなる方向に引伸ばして表示するステップを含み、
ここで、前記対象位置は、前記タッチスクリーン上における前記対象に対応する作用位置である。
ことを特徴とする請求項１に記載のタッチスクリーン上のファイル表示方法。
【請求項６】
各々の表示要素に対する引伸ばし比率が同一であるか、
或いは、
各々の表示要素に対する引伸ばし比率と、前記表示要素から前記辺縁までの距離である第１距離とが、正の相関関係を有する、
ことを特徴とする請求項２又は３に記載のタッチスクリーン上のファイル表示方法。
【請求項７】
各々の表示要素に対する引伸ばし比率が同一であるか、
或いは、
各々の表示要素に対する引伸ばし比率と、前記表示要素から前記辺縁までの距離である第１距離とが、正の相関関係を有するか、
或いは、
各々の表示要素に対する引伸ばし比率と、前記辺縁に垂直な直線上の前記表示要素から前記対象位置までのマッピング距離である第２距離とが、正の相関関係を有する、
ことを特徴とする請求項４又は５に記載のタッチスクリーン上のファイル表示方法。
【請求項８】
前記電子ファイルの辺縁の表示状態をそのまま維持するステップを
さらに含むことを特徴とする請求項１乃至７のいずれか１項に記載のタッチスクリーン上のファイル表示方法。
【請求項９】
前記タッチスクリーン上で前記対象がもう検出されないと、引伸ばし表示した後の表示要素を、引き伸ばす前の表示状態に回復するステップ
をさらに含むことを特徴とする請求項１乃至８のいずれか１項に記載のタッチスクリーン上のファイル表示方法。
【請求項１０】
前記タッチスクリーン上で前記対象がもう検出されないと、引伸ばし表示した後の表示要素を、引き伸ばす前の表示状態に回復するステップは、
前記タッチスクリーン上で前記対象がもう検出されないと、前記引伸ばし表示した後の表示要素を、少なくとも１回弾性的に伸び縮み表示してから、引き伸ばす前の表示状態に回復するステップ
を含むことを特徴とする請求項９に記載のタッチスクリーン上のファイル表示方法。
【請求項１１】
前記タッチスクリーン上で前記対象がもう検出されないと、第１所定期間内に前記複数の表示要素を引伸ばし表示し続けるステップと、
第２所定期間内に、引伸ばし表示した後の表示要素を、引き伸ばす前の表示状態に回復するステップと
をさらに含むことを特徴とする請求項１乃至８のいずれか１項に記載のタッチスクリーン上のファイル表示方法。
【請求項１２】
前記タッチスクリーン上に、電子ファイルの辺縁領域を表示するステップは、
前記電子ファイルを開くための第１信号に応答して、前記タッチスクリーン上に前記電子ファイルの辺縁領域を表示するステップ、
或いは、
前記電子ファイルに切り替えるための第２信号に応答して、前記タッチスクリーン上に前記電子ファイルの辺縁領域を表示するステップ、
或いは、
前記タッチスクリーン上に前記電子ファイルの一部の領域を表示し、前記タッチスクリーン上に作用する対象の移動を検出して、前記移動に応答して、前記電子ファイルの一部の領域を平行移動して前記辺縁領域を表示するステップ
を含むことを特徴とする請求項１乃至１１のいずれか１項に記載のタッチスクリーン上のファイル表示方法。
【請求項１３】
タッチスクリーン上に電子ファイルの第１領域を表示するステップと、
前記タッチスクリーン上に作用する対象の移動を検出するステップと、
前記対象の移動に応答して、前記電子ファイルの第１領域を平行移動して第２領域を表示するステップと、
前記タッチスクリーン上で前記対象がもう検出されないと、前記電子ファイルの第２領域を平行移動し表示し続けるステップと、
平行移動して表示して、前記辺縁及び前記複数の表示要素を含む、前記電子ファイルの辺縁領域までに達すると、前記辺縁領域中の複数の表示要素を、前記電子ファイルの辺縁から遠くなる方向に引伸ばして表示するステップと、
前記引伸ばし表示した後の表示要素を、引き伸ばす前の表示状態に回復するステップと
を含むことを特徴とするタッチスクリーン上のファイル表示方法。
【請求項１４】
タッチスクリーン上に、電子ファイルの辺縁及び複数の表示要素を含む、前記電子ファイルの辺縁領域を表示するための領域表示モジュールと、
前記タッチスクリーン上に作用する対象の移動を検出するための移動検出モジュールと、
前記対象の移動に応答して、前記複数の表示要素を前記辺縁から遠くなる方向に引伸ばして表示するための引伸ばし表示モジュールと
を備えることを特徴とするタッチスクリーン上のファイル表示装置。
【請求項１５】
前記引伸ばし表示モジュールは、前記辺縁領域中の全部の表示要素を、前記辺縁から遠くなる方向に引伸ばして表示する
ことを特徴とする請求項１４に記載のタッチスクリーン上のファイル表示装置。
【請求項１６】
前記引伸ばし表示モジュールは、前記辺縁から最も近いｎ（ｎは正の整数である）行の表示要素の表示状態をそのまま維持し、前記辺縁から最も近いｎ行の表示要素以外の他の行の表示要素を、前記辺縁から遠くなる方向に引伸ばして表示する
ことを特徴とする請求項１４に記載のタッチスクリーン上のファイル表示装置。
【請求項１７】
前記引伸ばし表示モジュールは、前記辺縁と対象位置との間に位置する表示要素を、前記辺縁から遠くなる方向に引伸ばして表示し、
ここで、前記対象位置は、前記タッチスクリーン上における前記対象に対応する作用位置である
ことを特徴とする請求項１４に記載のタッチスクリーン上のファイル表示装置。
【請求項１８】
前記引伸ばし表示モジュールは、前記辺縁と対象位置との間に位置する表示要素の中の、前記辺縁から最も近いｎ（ｎは正の整数である）行の表示要素以外の他の行の表示要素を、前記辺縁から遠くなる方向に引伸ばして表示し、
ここで、前記対象位置は、前記タッチスクリーン上における前記対象に対応する作用位置である
ことを特徴とする請求項１４に記載のタッチスクリーン上のファイル表示装置。
【請求項１９】
各々の表示要素に対する引伸ばし比率が同一であるか、
或いは、
各々の表示要素に対する引伸ばし比率と、前記表示要素から前記辺縁までの距離である第１距離とが、正の相関関係を有する
ことを特徴とする請求項１５又は１６に記載のタッチスクリーン上のファイル表示装置。
【請求項２０】
各々の表示要素に対する引伸ばし比率が同一であるか、
或いは、
各々の表示要素に対する引伸ばし比率と、前記表示要素から前記辺縁までの距離である第１距離とが、正の相関関係を有するか、
或いは、
各々の表示要素に対する引伸ばし比率と、前記辺縁に垂直な直線上の前記表示要素から前記対象位置までのマッピング距離である第２距離とが、正の相関関係を有する
ことを特徴とする請求項１７又は１８に記載のタッチスクリーン上のファイル表示装置。
【請求項２１】
前記電子ファイルの辺縁の表示状態をそのまま維持するための維持モジュール
をさらに備えることを特徴とする請求項１４乃至２０のいずれか１項に記載のタッチスクリーン上のファイル表示装置。
【請求項２２】
前記タッチスクリーン上で前記対象がもう検出されないと、引伸ばし表示した後の表示要素を、引き伸ばす前の表示状態に回復するための回復表示モジュール
をさらに備えることを特徴とする請求項１４乃至２１のいずれか１項に記載のタッチスクリーン上のファイル表示装置。
【請求項２３】
前記回復表示モジュールは、前記タッチスクリーン上で前記対象がもう検出されないと、前記引伸ばし表示した後の表示要素を、少なくとも１回弾性的に伸び縮み表示してから、引き伸ばす前の表示状態に回復する
ことを特徴とする請求項２２に記載のタッチスクリーン上のファイル表示装置。
【請求項２４】
前記タッチスクリーン上で前記対象がもう検出されないと、第１所定期間内に前記複数の表示要素を引伸ばし表示し続けるための第１引伸ばしモジュールと、
第２所定期間内に、引伸ばし表示した後の表示要素を、引き伸ばす前の表示状態に回復するための第２回復モジュールと
をさらに備えることを特徴とする請求項１４乃至２１のいずれか１項に記載のタッチスクリーン上のファイル表示装置。
【請求項２５】
前記領域表示モジュールは、
前記電子ファイルを開くための第１信号に応答して、前記タッチスクリーン上に前記電子ファイルの辺縁領域を表示するための第１表示サブモジュール、
或いは、
前記電子ファイルに切り替えるための第２信号に応答して、前記タッチスクリーン上に前記電子ファイルの辺縁領域を表示するための第２表示サブモジュール、
或いは、
前記タッチスクリーン上に前記電子ファイルの一部の領域を表示し、前記タッチスクリーン上に作用する対象の移動を検出して、前記対象の移動に応答して、前記電子ファイルの一部の領域を平行移動して前記辺縁領域を表示するための第３表示サブモジュール
を備えることを特徴とする請求項１４乃至２４のいずれか１項に記載のタッチスクリーン上のファイル表示装置。
【請求項２６】
タッチスクリーン上に電子ファイルの第１領域を表示するための領域表示モジュールと、
前記タッチスクリーン上に作用する対象の移動を検出するための移動検出モジュールと、
前記対象の移動に応答して、前記電子ファイルの第１領域を平行移動して第２領域を表示するための第２表示モジュールと、
前記タッチスクリーン上で前記対象がもう検出されないと、前記電子ファイルの第２領域を平行移動し表示し続けるための平行移動表示モジュールと、
平行移動して表示して、前記辺縁及び前記複数の表示要素を含む、前記電子ファイルの辺縁領域までに達すると、前記辺縁領域中の複数の表示要素を、前記電子ファイルの辺縁から遠くなる方向に引伸ばして表示するための引伸ばし表示モジュールと、
前記引伸ばし表示した後の表示要素を、引き伸ばす前の表示状態に回復するための回復表示モジュールと
を備えることを特徴とするタッチスクリーン上のファイル表示装置。
【請求項２７】
プロセッサと、
前記プロセッサが実行可能な命令を記憶するためのメモリと、
前記プロセッサと電気的に接続されたタッチスクリーン
とを備え、
前記プロセッサは、
前記タッチスクリーン上に、電子ファイルの辺縁及び複数の表示要素を含む、前記電子ファイルの辺縁領域を表示し、
前記タッチスクリーン上に作用する対象の移動を検出し、
前記対象の移動に応答して、前記複数の表示要素を前記辺縁から遠くなる方向に引伸ばして表示するように構成される
ことを特徴とするタッチスクリーン上のファイル表示装置。
【請求項２８】
プロセッサと、
前記プロセッサが実行可能な命令を記憶するためのメモリと、
前記プロセッサと電気的に接続されたタッチスクリーン
とを備え、
前記プロセッサは、
前記タッチスクリーン上に電子ファイルの第１領域を表示し、
前記タッチスクリーン上に作用する対象の移動を検出し、
前記対象の移動に応答して、前記電子ファイルの第１領域を平行移動して第２領域を表示し、
前記タッチスクリーン上で前記対象がもう検出されないと、前記電子ファイルの第２領域を平行移動し表示し続け、
平行移動して表示して、前記辺縁及び前記複数の表示要素を含む、前記電子ファイルの辺縁領域までに達すると、前記辺縁領域中の複数の表示要素を、前記電子ファイルの辺縁から遠くなる方向に引伸ばして表示し、
前記引伸ばし表示した後の表示要素を、引き伸ばす前の表示状態に回復するように構成される
ことを特徴とするタッチスクリーン上のファイル表示装置。
【発明の詳細な説明】
【技術分野】
【０００１】
本発明は、ヒューマンコンピュータインタラクション分野に関し、特に、タッチスクリーン上のファイル表示方法及び装置に関する。
【背景技術】
【０００２】
モバイル端末の機能の豊富化に伴い、モバイル端末のユーザインターフェイス上に表示する内容もますます多くなって、ユーザインターフェイスの使いやすさが特に重要になった。特に、モバイル端末のスクリーンのサイズがより小さい場合、ユーザインターフェイスの使いやすさに対する要求はもっと高くなる。
【発明の概要】
【発明が解決しようとする課題】
【０００３】
モバイル端末のスクリーンのサイズがより小さいが、表示しようとする電子ファイルのサイズがより大きい場合、スクリーン上に、同時に、電子ファイルの一部しか表示できない。この時、ユーザはスクリーン上で電子ファイルを平行移動して表示することにより、電子ファイルの他の部分を表示させなければならない。例えば、ユーザは、電子ファイルを上方向又は下方向へ平行移動させて、電子ファイルを表示してもよい。
【０００４】
しかし、モバイル端末がすでに電子ファイルの一方の辺縁部まで表示させた場合、ユーザによりトリガした当該電子ファイルを一方へ平行移動して表示させる要請は、一般的に、モバイル端末に応答されなくなる。この時、ユーザはモバイル端末が一時停止或いはダウンできたと理解しやすい。
【課題を解決するための手段】
【０００５】
本発明の実施例は、タッチスクリーン上のファイル表示方法及び装置を提供する。その構成は以下のとおりである。
【０００６】
本発明の実施例に係る第１の態様によると、タッチスクリーン上のファイル表示方法を提供する。
【０００７】
当該方法は、
タッチスクリーン上に、電子ファイルの辺縁及び複数の表示要素を含む、当該電子ファイルの辺縁領域を表示するステップと、
タッチスクリーン上に作用する対象の移動を検出するステップと、
当該対象の移動に応答して、複数の表示要素を当該辺縁から遠くなる方向に引伸ばして表示するステップと
を含む。
【０００８】
本発明の実施例に係る第２の態様によると、タッチスクリーン上のファイル表示方法を提供する。
【０００９】
当該方法は、
タッチスクリーン上に電子ファイルの第１領域を表示するステップと、
タッチスクリーン上に作用する対象の移動を検出するステップと、
当該対象の移動に応答して、当該電子ファイルの第１領域を平行移動して第２領域を表示するステップと、
タッチスクリーン上で当該移動がもう検出されないと、当該電子ファイルの第２領域を平行移動し表示し続けるステップと、
当該平行移動し表示して、当該辺縁及び複数の表示要素を含む、当該電子ファイルの辺縁領域まで達した場合、辺縁領域中の複数の表示要素を、電子ファイルの辺縁から遠くなる方向に引伸ばす表示ステップと、
当該引伸ばし表示した後の表示要素を、引き伸ばす前の表示状態に回復するステップと
を含む。
【００１０】
本発明の実施例に係る第３の態様によると、タッチスクリーン上のファイル表示装置を提供する。
【００１１】
当該装置は、
タッチスクリーン上に、電子ファイルの辺縁及び複数の表示要素を含む、当該電子ファイルの辺縁領域を表示するための領域表示モジュールと、
タッチスクリーン上に作用する対象の移動を検出するための移動検出モジュールと、
対象の移動に応答して、複数の表示要素を辺縁から遠くなる方向に引伸ばして表示するための引伸ばし表示モジュールと
を備える。
【００１２】
本発明の実施例に係る第４の態様によると、タッチスクリーン上のファイル表示装置を提供する。
【００１３】
当該装置は、
タッチスクリーン上に電子ファイルの第１領域を表示するための領域表示モジュールと、
タッチスクリーン上に作用する対象の移動を検出するための移動検出モジュールと、
対象の移動に応答して、電子ファイルの第１領域を平行移動して第２領域を表示するための第２表示モジュールと、
タッチスクリーン上で対象がもう検出されないと、電子ファイルの第２領域を平行移動し表示し続けるための平行移動表示モジュールと、
平行移動し表示して、辺縁及び複数の表示要素を含む、当該電子ファイルの辺縁領域まで達すると、辺縁領域中の複数の表示要素を、電子ファイルの辺縁から遠くなる方向に引伸ばして表示するための引伸ばし表示モジュールと、
引伸ばし表示した後の表示要素を、引き伸ばす前の表示状態に回復するための回復表示モジュールと
を備える。
【００１４】
本発明の実施例に係る第５の態様によると、タッチスクリーン上のファイル表示装置を提供する。
【００１５】
当該装置は、
プロセッサと、
当該プロセッサが実行可能な命令を記憶するためのメモリと、
当該プロセッサと電気的に接続されたタッチスクリーンと
を備え、
当該プロセッサは、
タッチスクリーン上に、電子ファイルの辺縁及び複数の表示要素を含む、当該電子ファイルの辺縁領域を表示し、
タッチスクリーン上に作用する対象の移動を検出し、
当該対象の移動に応答して、複数の表示要素を辺縁から遠くなる方向に引伸ばして表示するように構成される。
【００１６】
本発明の実施例に係る第６の態様によると、タッチスクリーン上のファイル表示装置を提供する。
【００１７】
当該装置は、
プロセッサと、
当該プロセッサが実行可能な命令を記憶するためのメモリと、
当該プロセッサと電気的に接続されたタッチスクリーンと
を備え、
当該プロセッサは、
タッチスクリーン上に電子ファイルの第１領域を表示し、
タッチスクリーン上に作用する対象の移動を検出し、
当該対象の移動に応答して、電子ファイルの第１領域を平行移動して第２領域を表示し、
タッチスクリーン上で対象がもう検出されないと、電子ファイルの第２領域を平行移動し表示し続け、
平行移動し表示して、辺縁及び複数の表示要素を含む、当該電子ファイルの辺縁領域までに達すると、辺縁領域中の複数の表示要素を、電子ファイルの辺縁から遠くなる方向に引伸ばして表示し、
引伸ばし表示した後の表示要素を、引き伸ばす前の表示状態に回復するように構成される。
【発明の効果】
【００１８】
本発明の実施例が提供する構成の有益な効果は以下のとおりである。
【００１９】
既に電子ファイルの辺縁領域まで表示した際に、複数の表示要素を電子ファイルの辺縁から遠くなる方向に引伸ばして表示して、ユーザの平行移動操作に対する応答とすることにより、ユーザに、既に電子ファイルの辺縁まで表示されたことを明確に通知できて、ユーザの実際に操作意味がない平行移動操作の繰り返し実行を避けて、ユーザの操作効率を高めた。
【００２０】
以上の統括な記述と以下の細部記述は、ただ例示的なものであり、本発明を制限するものではないと、理解するべきである。
【図面の簡単な説明】
【００２１】
ここでの図面は、明細書に合併されて本明細書の一部を構成して本発明に合致する実施例を示し、明細書とともに本発明の原理を説明するのに用いられる。
【図１】例示的な一実施例に係るタッチスクリーン上のファイル表示方法を示すフローチャートである。
【図２Ａ】例示的な別の一実施例に係るタッチスクリーン上のファイル表示方法を示すフローチャートである。
【図２Ｂ】図２Ａの例示的な実施例を実施する際のインターフェイスを示す模式図である。
【図２Ｃ】図２Ａの例示的な実施例を実施する際のインターフェイスを示す模式図である。
【図２Ｄ】図２Ａの例示的な実施例を実施する際のインターフェイスを示す模式図である。
【図２Ｅ】図２Ａの例示的な実施例を実施する際のインターフェイスを示す模式図である。
【図３Ａ】例示的な別の一実施例に係るタッチスクリーン上のファイル表示方法を示すフローチャートである。
【図３Ｂ】図３Ａの例示的な実施例を実施する際のインターフェイスを示す模式図である。
【図３Ｃ】図３Ａの例示的な実施例を実施する際のインターフェイスを示す模式図である。
【図３Ｄ】図３Ａの例示的な実施例を実施する際のインターフェイスを示す模式図である。
【図３Ｅ】図３Ａの例示的な実施例を実施する際のインターフェイスを示す模式図である。
【図４Ａ】例示的な別の一実施例に係るタッチスクリーン上のファイル表示方法を示すフローチャートである。
【図４Ｂ】図４Ａの例示的な実施例を実施する際のインターフェイスを示す模式図である。
【図４Ｃ】図４Ａの例示的な実施例を実施する際のインターフェイスを示す模式図である。
【図４Ｄ】図４Ａの例示的な実施例を実施する際のインターフェイスを示す模式図である。
【図５Ａ】例示的な別の一実施例に係るタッチスクリーン上のファイル表示方法を示すフローチャートである。
【図５Ｂ】図５Ａの例示的な実施例を実施する際のインターフェイスを示す模式図である。
【図５Ｃ】図５Ａの例示的な実施例を実施する際のインターフェイスを示す模式図である。
【図５Ｄ】図５Ａの例示的な実施例を実施する際のインターフェイスを示す模式図である。
【図６Ａ】例示的な別の一実施例に係るタッチスクリーン上のファイル表示方法を示すフローチャートである。
【図６Ｂ】図６Ａの例示的な実施例を実施する際のインターフェイスを示す模式図である。
【図６Ｃ】図６Ａの例示的な実施例を実施する際のインターフェイスを示す模式図である。
【図７Ａ】例示的な別の一実施例に係るタッチスクリーン上のファイル表示方法を示すフローチャートである。
【図７Ｂ】図７Ａの例示的な実施例を実施する際のインターフェイスを示す模式図である。
【図８Ａ】例示的な別の一実施例に係るタッチスクリーン上のファイル表示方法を示すフローチャートである。
【図８Ｂ】図８Ａの例示的な実施例を実施する際のインターフェイスを示す模式図である。
【図９Ａ】例示的な別の一実施例に係るタッチスクリーン上のファイル表示方法を示すフローチャートである。
【図９Ｂ】図９Ａの例示的な実施例を実施する際のインターフェイスを示す模式図である。
【図１０Ａ】例示的な別の一実施例に係るタッチスクリーン上のファイル表示方法を示すフローチャートである。
【図１０Ｂ】図１０Ａの例示的な実施例を実施する際のインターフェイスを示す模式図である。
【図１０Ｃ】図１０Ａの例示的な実施例を実施する際のインターフェイスを示す模式図である。
【図１０Ｄ】図１０Ａの例示的な実施例を実施する際のインターフェイスを示す模式図である。
【図１１Ａ】例示的な別の一実施例に係るタッチスクリーン上のファイル表示方法を示すフローチャートである。
【図１１Ｂ】図１１Ａの例示的な実施例を実施する際のインターフェイスを示す模式図である。
【図１２Ａ】例示的な別の一実施例に係るタッチスクリーン上のファイル表示方法を示すフローチャートである。
【図１２Ｂ】図１２Ａの例示的な実施例を実施する際のインターフェイスを示す模式図である。
【図１２Ｃ】図１２Ａの例示的な実施例を実施する際のインターフェイスを示す模式図である。
【図１３】例示的な一実施例に係るタッチスクリーン上のファイル表示装置を示すブロック図である。
【図１４】例示的な別の一実施例に係るタッチスクリーン上のファイル表示装置を示すブロック図である。
【図１５】例示的な別の一実施例に係るタッチスクリーン上のファイル表示装置を示すブロック図である。
【図１６】例示的な別の一実施例に係るタッチスクリーン上のファイル表示装置を示すブロック図である。
【００２２】
以上の図面を通じて、本発明の実施例を例示しているが、そのさらに具体的な内容については後述する。これらの図面及び文字記載は、本発明の趣旨の範囲を限定するためのものではなく、特定の実施例を参照として、当業者に本発明のコンセプトを理解させるためのものである。
【発明を実施するための形態】
【００２３】
ここで、例示的な実施例を詳細に説明する。また、説明中の例は、図面に示している。以下の記述において、図面を説明する際に特に説明しない場合、異なる図面中の同一の符号は、同一或いはは同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００２４】
まず、本発明の実施例に関する複数の名詞を説明する。
【００２５】
電子ファイルとは、Ｗｅｂページ、デジタル画像、電子ファイル、スプレッドシート、アプリケーションの対話型インターフェイス、及び、ＯＳの対話型インターフェイスのサブセット或いはスーパーセットである。電子ファイルを表示するのに必要な領域は、一般的に、タッチスクリーンの一画面の表示領域（タッチスクリーンに一気に表示できる領域）より大きい。
【００２６】
表示要素とは、アイコン、プロフィール写真、画像、テキスト、セル、及び、対話型コンポーネントのサブセット或いはスーパーセットである。表示要素は、一般的に、電子ファイル中の一つのサブ領域を占有する。各表示要素同士の間は、緊密に隣接されてもよいし、互いに離隔されてもよい。
【００２７】
辺縁領域とは、電子ファイルの一部の領域である。辺縁領域の大きさは、タッチスクリーンの一画面の表示領域の大きさ以下であり、辺縁領域は電子ファイルの辺縁及び複数の表示要素を含む。
【００２８】
図１は、例示的な一実施例に係るタッチスクリーン上のファイル表示方法を示すフローチャートである。当該ファイル表示方法をタッチスクリーンを含む端末に応用する例を挙げて、本実施例を説明する。当該ファイル表示方法は、以下のステップを含んでもよい。
【００２９】
ステップ１０１において、タッチスクリーン上に、電子ファイルの辺縁及び複数の表示要素を含む、当該電子ファイルの辺縁領域を表示する。
【００３０】
ステップ１０２において、タッチスクリーン上に作用する対象の移動を検出する。
【００３１】
ステップ１０３において、当該対象の移動に応答して、複数の表示要素を当該辺縁から遠くなる方向に引伸ばして表示する。
【００３２】
上記のように、本実施例によって提供するファイル表示方法によると、既に電子ファイルの辺縁領域まで表示した際に、複数の表示要素を電子ファイルの辺縁から遠くなる方向に引伸ばして表示して、ユーザの平行移動操作に対する応答とすることにより、ユーザに、既に電子ファイルの辺縁まで表示されたことを明確に通知できて、ユーザの実際に操作意味がない平行移動操作の繰り返し実行を避けて、ユーザの操作効率を高めた。
【００３３】
図２Ａは、例示的な別の一実施例に係るタッチスクリーン上のファイル表示方法を示すフローチャートである。当該ファイル表示方法をタッチスクリーンを含む端末に応用する例を挙げて、本実施例を説明する。当該ファイル表示方法は、以下のステップを含んでもよい。
【００３４】
ステップ２０１において、タッチスクリーン上に、電子ファイルの辺縁及び複数の表示要素を含む、当該電子ファイルの辺縁領域を表示する。
【００３５】
電子ファイルの辺縁は、タッチスクリーンの表示領域の辺縁と重ね合わされてもよく、タッチスクリーンの表示領域中に明確に表示されないでもよい。
【００３６】
ステップ２０２において、タッチスクリーン上に作用する対象の移動を検出する。
【００３７】
当該対象は、ユーザの指、タッチペン、或いは、タッチスクリーンにより検出できる他の制御対象であってもよい。
【００３８】
タッチスクリーンにフローティングタッチ機能がない場合、当該対象はタッチスクリーン上で直接移動する。
【００３９】
タッチスクリーンにフローティングタッチ機能がある場合、当該対象はタッチスクリーン上で直接移動するか、或いは、タッチスクリーン上で一定の間隔をあけて移動する。
【００４０】
端末は、当該対象が移動すると、タッチスクリーンによって当該対象の移動を検出する。当該移動は、平行移動であってもよい。例えば、当該移動は、辺縁領域中の一つの辺縁から遠くなる移動であってもよい。
【００４１】
ステップ２０３において、当該対象の移動に応答して、当該辺縁領域中の全部の表示要素を、当該辺縁から遠くなる方向に引伸ばして表示する。
【００４２】
端末は、当該対象の移動に対する応答として、当該辺縁領域中の全部の表示要素を、当該辺縁から遠くなる方向に引伸ばして表示する。引伸ばし表示とは、表示要素を、当該辺縁から遠くなる方向に沿って拡大する一種の表示方法である。当該辺縁は、対象の移動によって遠くなる辺縁である。
【００４３】
ここで、各々の表示要素に対する引伸ばし比率は、それぞれ、同一であってもよい。或いは、各々の表示要素に対する引伸ばし比率と、表示要素と辺縁との間の距離である第１距離とは、正の相関関係を有する。
【００４４】
例として、図２Ｂを参考すると、電子ファイルは、フォトギャラリー・アプリケーションの対話型インターフェイス２２である。当該対話型インターフェイス２２は、６行３列に順に配列した１８個のサムネイルを含み、当該１８個のサムネイルの通し番号は１から１８までである。しかし、タッチスクリーン２３の表示領域がより小さいため、対話型インターフェイス２２の辺縁領域２２ａしか表示できない。当該辺縁領域２２ａは、対話型インターフェイス２２の上方辺縁２６、及び、４行３列に順に配列された、通し番号が１から１２までのサムネイルを含む。ここで、対話型インターフェイス２２の上方辺縁２６とタッチスクリーン２３の上方辺縁は重ね合うが、図２Ｂでは明確に示していない。
【００４５】
続いて、図２Ｃと図２Ｄを参考すると、対象がユーザの指である例を挙げると、端末は、指がタッチスクリーン２３上で下方向に沿って移動すると、タッチスクリーン２３を通じて指の移動を検出する。端末は、当該指の移動に応答して、辺縁領域２２ａ中の１２個のサムネイルを、上方辺縁２６から遠くなる方向に引伸ばして表示する。引き伸ばした後のサムネイルの幅は変更されないが、高さは引き伸ばされる。同時に、最下方の１行のサムネイル１０、サムネイル１１及びサムネイル１２の一部は、平行移動によってタッチスクリーン２３の表示領域から外されて、表示されない。引伸ばし表示した各２行のサムネイル同士の間の間隔は、一般的に、そのまま維持されるか、或いは、当該間隔も引伸ばし表示される。
【００４６】
ここで、図２Ｃに示した例において、各サムネイルに対する引伸ばし比率は、同一である。つまり、各サムネイルの引き伸ばされた後の高さは、互いに同一である。当該引伸ばし比率と指の移動距離は、正の相関関係を有し、つまり、タッチスクリーン２３上の指の移動距離が長いほど、当該引伸ばし比率も大きくなり、タッチスクリーン２３上の指の移動距離が短いほど、当該引伸ばし比率も小さくなる。
【００４７】
図２Ｄに示した例において、各サムネイルの引伸ばし比率は、互いに異なる。各々のサムネイルの引伸ばし比率は第１距離と正の相関関係を有し、ここで、当該第１距離はサムネイルと上方辺縁２６との間の距離である。つまり、引伸ばし表示するサムネイルと上方辺縁２６との距離が大きいほど、引伸ばし比率も大きくなり、引伸ばし表示するサムネイルと上方辺縁２６との距離が小さいほど、引伸ばし比率も小さくなる。例えば、サムネイル７、サムネイル８及びサムネイル９には第１引伸ばし比率を適用し、サムネイル４、サムネイル５及びサムネイル６には第２引伸ばし比率を適用すると、第１引伸ばし比率は、第２引伸ばし比率より大きい。
【００４８】
ステップ２０４において、タッチスクリーン上で対象がもう検出されないと、引伸ばし表示した後の表示要素を、引き伸ばす前の表示状態に回復する。
【００４９】
端末は、タッチスクリーンにより対象がもう検出されないと、引伸ばし表示した後の表示要素を、引き伸ばす前の表示状態に回復する。当該回復過程を、ステップ２０３の逆の過程と見なしてもよい。しかし、ステップ２０３と異なるのは、ステップ２０３の引き伸ばす過程は、対象の移動に従う過程であるが、ステップ２０４中の回復過程は、予め設定した速度に実行するか、或いは、予め設定した期間内に実行する。
【００５０】
言い換えれば、端末は、予め設定した速度によって、引伸ばし表示した後の表示要素を、引き伸ばす前の表示状態に回復してもよい。当該予め設定した速度は、一定の速度、一定の減速度、一定の加速度、引き伸ばす時の速度と正の相関関係を有する速度、等であってもよく、本実施例においては、当該予め設定した速度に対して限定しない。
【００５１】
或いは、端末は、予め設定した期間内に引伸ばして表示した後の表示要素を、引き伸ばす前の表示状態に回復してもよい。当該予め設定した期間は、０．２ｓであってもよい。
【００５２】
例として、図２Ｅに示したように、端末は、タッチスクリーン２３上で指がもう検出されないと、０．２ｓ内に、引伸ばし表示した後の１２個のサムネイルを、引き伸ばす前の表示状態に回復する。
【００５３】
端末は、上記の引伸ばし表示過程、及び、回復表示過程において、電子ファイルの辺縁の表示状態をそのまま維持していることを、理解する必要がある。
【００５４】
ステップ２０４の別の一ケースとして、タッチスクリーン上で依然として対象が検出されるが、当該対象が静止状態をそのまま維持したままもう移動しないと、端末は、現在の表示状態をそのまま維持する。
【００５５】
上記のように、本実施例によって提供するファイル表示方法によると、既に電子ファイルの辺縁領域まで表示した際に、複数の表示要素を電子ファイルの辺縁から遠くなる方向に引伸ばして表示して、ユーザの平行移動操作に対する応答とすることにより、ユーザに、既に電子ファイルの辺縁まで表示されたことを明確に通知できて、ユーザの実際に操作意味がない平行移動操作の繰り返し実行を避けて、ユーザの操作効率を高めた。
【００５６】
本実施例によって提供するファイル表示方法によると、さらに、引伸ばし表示した後の表示要素を、引き伸ばす前の表示状態に回復することにより、ユーザに既に電子ファイルの辺縁まで表示されたことを明確に通知した後に引き伸ばす前の表示状態に回復させることにより、ユーザの他の操作の実行を便利にした。
【００５７】
図３Ａは、例示的な別の一実施例に係るタッチスクリーン上のファイル表示方法を示すフローチャートである。当該ファイル表示方法をタッチスクリーンを含む端末に応用する例を挙げて、本実施例を説明する。当該ファイル表示方法は、以下のステップを含んでもよい。
【００５８】
ステップ３０１において、当該タッチスクリーン上に、当該電子ファイルの辺縁及び複数の表示要素を含む、当該電子ファイルの辺縁領域を表示する。
【００５９】
電子ファイルの辺縁は、タッチスクリーンの表示領域の辺縁と重ね合わされてもよく、タッチスクリーンの表示領域中に明確に表示されないでもよい。
【００６０】
ステップ３０２において、当該タッチスクリーン上に作用する対象の移動を検出する。
【００６１】
当該対象は、ユーザの指、タッチペン、或いは、タッチスクリーンにより検出できる他の制御対象であってもよい。
【００６２】
タッチスクリーンにフローティングタッチ機能がない場合、当該対象はタッチスクリーン上で直接移動する。
【００６３】
タッチスクリーンにフローティングタッチ機能がある場合、当該対象はタッチスクリーン上で直接移動するか、或いは、タッチスクリーン上で一定の間隔をあけて移動する。
【００６４】
端末は、当該対象が移動すると、タッチスクリーンによって当該対象の移動を検出する。当該移動は、平行移動であってもよい。例えば、当該移動は、辺縁領域中の一つの辺縁から遠くなる移動であってもよい。
【００６５】
ステップ３０３において、当該対象の移動に応答して、当該辺縁から最も近いｎ（ｎは正の整数である）行の表示要素の表示状態をそのまま維持し、当該辺縁から最も近いｎ行の表示要素以外の他の行の表示要素を、当該辺縁から遠くなる方向に引伸ばして表示する。
【００６６】
引伸ばし表示とは、表示要素を、当該辺縁から遠くなる方向に沿って拡大する一種の表示方法であり、当該辺縁は、対象の移動によって遠くなる辺縁である。
【００６７】
ここで、各々の表示要素に対する引伸ばし比率は、それぞれ、同一であってもよい。或いは、各々の表示要素に対する引伸ばし比率と、表示要素と辺縁との間の距離である第１距離とは、正の相関関係を有する。
【００６８】
例として、図３Ｂを参考すると、電子ファイルは、連絡帳・アプリケーションの対話型インターフェイス３２である。当該対話型インターフェイス３２は、タイトル行３２２及び１０個の通話記録行を含む。しかし、タッチスクリーン３３の表示領域がより小さいため、対話型インターフェイス３２の辺縁領域３２ａしか表示できない。当該辺縁領域３２ａは、対話型インターフェイス３２の上方辺縁３６、及び、前の７個の通話記録行を含む。ここで、対話型インターフェイス３２の上方辺縁２６とタッチスクリーン２３の上方辺縁は重ね合うが、図３Ｂでは明確に示していない。
【００６９】
続いて、図３Ｃと図３Ｄを参考すると、対象がユーザの指である例を挙げると、端末は、指がタッチスクリーン３３上で下方向に沿って移動すると、タッチスクリーン３３を通じて指の移動を検出する。端末は、当該指の移動に応答して、上方辺縁３６から最も近い１行の表示要素である、タイトル行３２２の表示状態をそのまま維持し、辺縁領域３２ａ中の７個の通話記録行を、上方辺縁３６から遠くなる方向に引伸ばして表示する。引き伸ばした後の通話記録行の幅はそのまま変更がないが、高さは引き伸ばされた。
【００７０】
ここで、図３Ｃに示した例において、各通話記録行の引伸ばし比率は、同一である。つまり、各通話記録行の引き伸ばされた後の高さは、互いに同一である。当該引伸ばし比率と指の移動距離は、正の相関関係を有し、つまり、タッチスクリーン３３上の指の移動距離が長いほど、当該引伸ばし比率も大きくなり、タッチスクリーン３３上の指の移動距離が短いほど、当該引伸ばし比率も小さくなる。また、最下方の１行の第７の通話記録行の一部は、平行移動によってタッチスクリーン３３の表示領域から外されて、表示されない。
【００７１】
図３Ｄに示した例において、各通話記録行の引伸ばし比率は、互いに異なっている。各々の通話記録行の引伸ばし比率は、第１距離と正の相関関係を有し、ここで、当該第１距離は、通話記録行と上方辺縁３６との間の距離である。つまり、引伸ばし表示する通話記録行と上方辺縁３６との距離が長いほど、引伸ばし比率も大きくなり、引伸ばし表示する通話記録行と上方辺縁３６との距離が小さいほど、引伸ばし比率も小さくなる。例えば、第６の通話記録行の引伸ばし比率は第５の通話記録行の引伸ばし比率より大きいし、第５の通話記録行の引伸ばし比率は第４の通話記録行の引伸ばし比率より大きいし、第４の通話記録行の引伸ばし比率は第３の通話記録行の引伸ばし比率より大きい。また、最下方の１行の第６の通話記録行の一部、及び、第７の通話記録行の全部は、平行移動によってタッチスクリーン３３の表示領域から外されて、表示されない。
ステップ３０４において、タッチスクリーン上で対象がもう検出されないと、引伸ばし表示した後の表示要素を、引き伸ばす前の表示状態に回復する。
【００７２】
端末は、タッチスクリーンにより対象がもう検出されないと、引伸ばし表示した後の表示要素を、引き伸ばす前の表示状態に回復する。当該回復過程を、ステップ３０３の逆の過程と見なしてもよい。しかし、ステップ３０３と異なるのは、ステップ３０３の引き伸ばす過程は、対象の移動に従う過程であるが、ステップ３０４中の回復過程は、予め設定した速度に実行するか、或いは、予め設定した期間内に実行する。
【００７３】
言い換えれば、端末は、予め設定した速度によって、引伸ばし表示した後の表示要素を、引き伸ばす前の表示状態に回復してもよい。当該予め設定した速度は、一定の速度、一定の減速度、一定の加速度、引き伸ばす時の速度と正の相関関係を有する速度、等であってもよく、本実施例においては、当該予め設定した速度に対して限定しない。
【００７４】
或いは、端末は、予め設定した期間内に引伸ばして表示した後の表示要素を、引き伸ばす前の表示状態に回復してもよい。当該予め設定した期間は、０．３ｓであってもよい。
【００７５】
例として、図３Ｅに示したように、端末は、タッチスクリーン３３上で指がもう検出されないと、０．３ｓ内に、引伸ばし表示した後の７個の通話記録行を、引き伸ばす前の表示状態に回復する。
【００７６】
端末は、上記の引伸ばし表示過程、及び、回復表示過程において、電子ファイルの辺縁の表示状態をそのまま維持していることを、理解する必要がある。
【００７７】
ステップ３０４の別の一ケースとして、タッチスクリーン上で依然として対象が検出されるが、当該対象が静止状態をそのまま維持したままもう移動しないと、端末は、現在の表示状態をそのまま維持する。
【００７８】
上記のように、本実施例によって提供するファイル表示方法によると、既に電子ファイルの辺縁領域まで表示した際に、複数の表示要素を電子ファイルの辺縁から遠くなる方向に引伸ばして表示して、ユーザの平行移動操作に対する応答とすることにより、ユーザに、既に電子ファイルの辺縁まで表示されたことを明確に通知できて、ユーザの実際に操作意味がない平行移動操作の繰り返し実行を避けて、ユーザの操作効率を高めた。
【００７９】
本実施例によって提供するファイル表示方法によると、さらに、引伸ばし表示した後の表示要素を、引き伸ばす前の表示状態に回復することにより、引き伸ばし表示する前へ回復した電子ファイル上で他の操作が実行できて、ユーザに電子ファイルを正常に使用するようにする。
【００８０】
図４Ａは、例示的な別の一実施例に係るタッチスクリーン上のファイル表示方法を示すフローチャートである。当該ファイル表示方法をタッチスクリーンを含む端末に応用する例を挙げて、本実施例を説明する。当該ファイル表示方法は、以下のステップを含んでもよい。
【００８１】
ステップ４０１において、タッチスクリーン上に、電子ファイルの辺縁及び複数の表示要素を含む、当該電子ファイルの辺縁領域を表示する。
【００８２】
電子ファイルの辺縁は、タッチスクリーンの表示領域の辺縁と重ね合わされてもよく、タッチスクリーンの表示領域中に明確に表示されないでもよい。
【００８３】
ステップ４０２において、当該タッチスクリーン上に作用する対象の移動を検出する。
【００８４】
当該対象は、ユーザの指、タッチペン、或いは、タッチスクリーンにより検出できる他の制御対象であってもよい。
【００８５】
タッチスクリーンにフローティングタッチ機能がない場合、当該対象はタッチスクリーン上で直接移動する。
【００８６】
タッチスクリーンにフローティングタッチ機能がある場合、当該対象はタッチスクリーン上で直接移動するか、或いは、タッチスクリーン上で一定の間隔をあけて移動する。
【００８７】
端末は、当該対象が移動すると、タッチスクリーンによって当該対象の移動を検出する。当該移動は、平行移動であってもよい。例えば、当該移動は、辺縁領域中の一つの辺縁から遠くなる移動であってもよい。
【００８８】
ステップ４０３において、当該対象の移動に応答して、当該辺縁と対象位置との間に位置する表示要素を、当該辺縁から遠くなる方向に引伸ばして表示する。
【００８９】
端末は、当該対象の移動に対する応答として、当該辺縁領域中の辺縁と対象位置との間に位置する表示要素を、当該辺縁から遠くなる方向に引伸ばして表示する。当該辺縁は、対象の移動によって遠くなる辺縁である。
【００９０】
引伸ばし表示とは、表示要素を、当該辺縁から遠くなる方向に沿って拡大する一種の表示方法である。ここで、対象位置とは、タッチスクリーン上における対象に対応する作業位置である。
【００９１】
ここで、各々の表示要素に対する引伸ばし比率は、それぞれ、同一であってもよい。或いは、各々の表示要素に対する引伸ばし比率と、表示要素と辺縁との間の距離である第１距離とは、正の相関関係を有する。
【００９２】
例として、図４Ｂと図４Ｃを参考すると、電子ファイルがフォトギャラリー・アプリケーションの対話型インターフェイス２２であり、対象がユーザの指である例を挙げる。端末は、指がタッチスクリーン２３上で下方向に沿って移動すると、タッチスクリーン２３を通じて指の移動を検出する。端末は、当該指の移動に応答して、辺縁領域２２ａ中の指の位置と上方辺縁２６との間に位置する６個のサムネイルを、上方辺縁２６から遠くなる方向に引伸ばして表示する。引き伸ばした後のサムネイルの幅は変更されないが、高さは引き伸ばされる。引伸ばし表示した各２行のサムネイル同士の間の間隔は、一般的に、そのまま維持されるか、或いは、当該間隔も引伸ばし表示される。
【００９３】
ここで、指の位置の他方に位置するサムネイル７からサムネイル１２は、引伸ばし表示しない。同時に、最下方の１行のサムネイル１０、サムネイル１１及びサムネイル１２の一部は、平行移動によって、タッチスクリーン２３の表示領域から外されて、表示されない。
【００９４】
図４Ｂに示した例において、引伸ばし表示する各サムネイルに対する引伸ばし比率は、同一である。つまり、各サムネイルを引き伸ばした後の高さは、互いに同一である。当該引伸ばし比率と指の移動距離は、正の相関関係を有し、つまり、タッチスクリーン２３上の指の移動距離が長いほど、当該引伸ばし比率も大きくなり、タッチスクリーン２３上の指の移動距離が短いほど、当該引伸ばし比率も小さくなる。
【００９５】
図４Ｃに示した例において、引伸ばし表示する各サムネイルの引伸ばし比率は、互いに異なる。各々のサムネイルの引伸ばし比率は第１距離と正の相関関係を有し、当該第１距離はサムネイルと上方辺縁２６との間の距離である。つまり、引伸ばし表示するサムネイルと上方辺縁２６との距離が大きいほど、引伸ばし比率も大きくなり、引伸ばし表示するサムネイルと上方辺縁２６との距離が小さいほど、引伸ばし比率も小さくなる。例えば、サムネイル４、サムネイル５及びサムネイル６には第１引伸ばし比率を適用し、サムネイル１、サムネイル２及びサムネイル３には第２引伸ばし比率を適用すると、第１引伸ばし比率は第２引伸ばし比率より大きい。
【００９６】
ステップ４０４において、タッチスクリーン上で対象がもう検出されないと、引伸ばし表示した後の表示要素を、引き伸ばす前の表示状態に回復する。
【００９７】
端末は、タッチスクリーンにより対象がもう検出されないと、引伸ばし表示した後の表示要素を、引き伸ばす前の表示状態に回復する。当該回復過程を、ステップ４０３の逆の過程と見なしてもよい。しかし、しかし、ステップ４０３と異なるのは、ステップ４０３の引き伸ばす過程は、対象の移動に従う過程であるが、ステップ４０４中の回復過程は、予め設定した速度に実行するか、或いは、予め設定した期間内に実行する。
【００９８】
言い換えれば、端末は、予め設定した速度によって、引伸ばし表示した後の表示要素を、引き伸ばす前の表示状態に回復してもよい。当該予め設定した速度は、一定の速度、一定の減速度、一定の加速度、引き伸ばす時の速度と正の相関関係を有する速度、等であってもよく、本実施例においては、当該予め設定した速度に対して限定しない。
【００９９】
或いは、端末は、予め設定した期間内に引伸ばして表示した後の表示要素を、引き伸ばす前の表示状態に回復してもよい。当該予め設定した期間は、０．４ｓであってもよい。
【０１００】
例として、図４Ｄに示したように、端末は、タッチスクリーン２３上で指がもう検出されないと、０．４ｓ内に、引伸ばし表示した後の６個のサムネイルを、引き伸ばす前の表示状態に回復する。
【０１０１】
端末は、上記の引伸ばし表示過程、及び、回復表示過程において、電子ファイルの辺縁の表示状態をそのまま維持していることを、理解する必要がある。
【０１０２】
ステップ４０４の別の一ケースとして、タッチスクリーン上で依然として対象が検出されるが、当該対象が静止状態をそのまま維持したままもう移動しないと、端末は、現在の表示状態をそのまま維持する。
【０１０３】
上記のように、本実施例によって提供するファイル表示方法によると、既に電子ファイルの辺縁領域まで表示した際に、複数の表示要素を電子ファイルの辺縁から遠くなる方向に引伸ばして表示して、ユーザの平行移動操作に対する応答とすることにより、ユーザに、既に電子ファイルの辺縁まで表示されたことを明確に通知できて、ユーザの実際に操作意味がない平行移動操作の繰り返し実行を避けて、ユーザの操作効率を高めた。
【０１０４】
本実施例によって提供するファイル表示方法によると、さらに、引伸ばし表示した後の表示要素を、引き伸ばす前の表示状態に回復することにより、ユーザに既に電子ファイルの辺縁まで表示されたことを明確に通知した後に引き伸ばす前の表示状態に回復させることにより、ユーザの他の操作の実行を便利にした。
【０１０５】
図５Ａは、例示的な別の一実施例に係るタッチスクリーン上のファイル表示方法を示すフローチャートである。当該ファイル表示方法をタッチスクリーンを含む端末に応用する例を挙げて、本実施例を説明する。当該ファイル表示方法は、以下のステップを含んでもよい。
【０１０６】
ステップ５０１において、タッチスクリーン上に、電子ファイルの辺縁及び複数の表示要素を含む、当該電子ファイルの辺縁領域を表示する。
【０１０７】
電子ファイルの辺縁は、タッチスクリーンの表示領域の辺縁と重ね合わされてもよく、タッチスクリーンの表示領域中に明確に表示されないでもよい。
【０１０８】
ステップ５０２において、タッチスクリーン上に作用する対象の移動を検出する。
【０１０９】
当該対象は、ユーザの指、タッチペン、或いは、タッチスクリーンにより検出できる他の制御対象であってもよい。
【０１１０】
タッチスクリーンにフローティングタッチ機能がない場合、当該対象はタッチスクリーン上で直接移動する。
【０１１１】
タッチスクリーンにフローティングタッチ機能がある場合、当該対象はタッチスクリーン上で直接移動するか、或いは、タッチスクリーン上で一定の間隔をあけて移動する。
【０１１２】
端末は、当該対象が移動すると、タッチスクリーンによって当該対象の移動を検出する。当該移動は、平行移動であってもよい。例えば、当該移動は、辺縁領域中の一つの辺縁から遠くなる移動であってもよい。
【０１１３】
ステップ５０３において、当該移動に応答して、当該辺縁と対象位置との間に位置する表示要素の中の、当該辺縁から最も近いｎ（ｎは正の整数である）行の表示要素以外の他の行の表示要素を、当該辺縁から遠くなる方向に引伸ばして表示する。
【０１１４】
引伸ばし表示とは、表示要素を、当該辺縁から遠くなる方向に沿って拡大する一種の表示方法である。当該辺縁は、対象の移動によって遠くなる辺縁である。
【０１１５】
ここで、各々の表示要素に対する引伸ばし比率は、それぞれ、同一であってもよい。或いは、各々の表示要素に対する引伸ばし比率と、表示要素と辺縁との間の距離である第１距離とは、正の相関関係を有する。
【０１１６】
例として、図５Ｂと図５Ｃを参考すると、電子ファイルが連絡帳・アプリケーションの対話型インターフェイス３２であり、対象がユーザの指であり、ｎ=１であり例を挙げる。端末は、指がタッチスクリーン３３上で下方向に沿って移動すると、タッチスクリーン３３を通じて指の移動を検出する。端末は、当該指の移動に応答して、上方辺縁３６と指の位置との間に位置する表示要素の中から、上方辺縁３６から最も近い１行の表示要素である、タイトル行３２２の表示状態をそのまま維持し、第１から第４の通話記録行を、上方辺縁３６から遠くなる方向に引伸ばして表示する。引き伸ばした後の通話記録行の幅はそのまま変更がないが、高さは引き伸ばされた。
【０１１７】
ここで、図５Ｂに示した例において、第１から第４の通話記録行の引伸ばし比率は、同一である。つまり、各通話記録行の引き伸ばされた後の高さは、互いに同一である。当該引伸ばし比率と指の移動距離は、正の相関関係を有し、つまり、タッチスクリーン３３上の指の移動距離が長いほど、当該引伸ばし比率も大きくなり、タッチスクリーン３３上の指の移動距離が短いほど、当該引伸ばし比率も小さくなる。また、第６の通話記録行の一部、及び、第７の通話記録行の全部は、平行移動によって、タッチスクリーン３３の表示領域から外されて、表示されない。
図５Ｃに示した例において、各通話記録行の引伸ばし比率は、互いに異なっている各々の通話記録行の引伸ばし比率は、第１距離と正の相関関係を有し、ここで、当該第１距離は、通話記録行と上方辺縁３６との間の距離である。つまり、引伸ばし表示する通話記録行と上方辺縁３６との距離が長いほど、引伸ばし比率も大きくなり、引伸ばし表示する通話記録行と上方辺縁３６との距離が小さいほど、引伸ばし比率も小さくなる。例えば、第４の通話記録行の引伸ばし比率は第３の通話記録行の引伸ばし比率より大きいし、第３の通話記録行の引伸ばし比率は第２の通話記録行の引伸ばし比率より大きいし、第２の通話記録行の引伸ばし比率は第１の通話記録行の引伸ばし比率より大きい。また、最下方の１行の第６の通話記録行の一部、及び、第７個の通話記録行の全部は、平行移動によって、タッチスクリーン３３の表示領域から外されて、表示されない。
ステップ５０４において、タッチスクリーン上で対象がもう検出されないと、引伸ばし表示した後の表示要素を、引き伸ばす前の表示状態に回復する。
【０１１８】
端末は、タッチスクリーンにより対象がもう検出されないと、引伸ばし表示した後の表示要素を、引き伸ばす前の表示状態に回復する。当該回復過程を、ステップ５０３の逆の過程と見なしてもよい。しかし、ステップ５０３と異なるのは、ステップ５０３の引き伸ばす過程は、対象の移動に従う過程であるが、ステップ５０４中の回復過程は、予め設定した速度に実行するか、或いは、予め設定した期間内に実行する。
【０１１９】
言い換えれば、端末は、予め設定した速度によって、引伸ばし表示した後の表示要素を、引き伸ばす前の表示状態に回復してもよい。当該予め設定した速度は、一定の速度、一定の減速度、一定の加速度、引き伸ばす時の速度と正の相関関係を有する速度、等であってもよく、本実施例においては、当該予め設定した速度に対して限定しない。
【０１２０】
或いは、端末は、予め設定した期間内に引伸ばして表示した後の表示要素を、引き伸ばす前の表示状態に回復してもよい。当該予め設定した期間は、０．４ｓであってもよい。
【０１２１】
例として、図５Ｄに示したように、端末は、タッチスクリーン上３３で指がもう検出されないと、０．４ｓ内に、引伸ばし表示した後の７個の通話記録行を、引き伸ばす前の表示状態に回復する。
【０１２２】
端末は、上記の引伸ばし表示過程、及び、回復表示過程において、電子ファイルの辺縁の表示状態をそのまま維持していることを、理解する必要がある。
【０１２３】
ステップ５０４の別の一ケースとして、タッチスクリーン上で依然として対象が検出されるが、当該対象が静止状態をそのまま維持したままもう移動しないと、端末は、現在の表示状態をそのまま維持する。
【０１２４】
上記のように、本実施例によって提供するファイル表示方法によると、既に電子ファイルの辺縁領域まで表示した際に、複数の表示要素を電子ファイルの辺縁から遠くなる方向に引伸ばして表示して、ユーザの平行移動操作に対する応答とすることにより、ユーザに、既に電子ファイルの辺縁まで表示されたことを明確に通知できて、ユーザの実際に操作意味がない平行移動操作の繰り返し実行を避けて、ユーザの操作効率を高めた。
【０１２５】
本実施例によって提供するファイル表示方法によると、さらに、引伸ばし表示した後の表示要素を、引き伸ばす前の表示状態に回復することにより、ユーザに既に電子ファイルの辺縁まで表示されたことを明確に通知した後に引き伸ばす前の表示状態に回復させることにより、ユーザの他の操作の実行を便利にした。
【０１２６】
図６Ａは、例示的な別の一実施例に係るタッチスクリーン上のファイル表示方法を示すフローチャートである。当該ファイル表示方法をタッチスクリーンを含む端末に応用する例を挙げて、本実施例を説明する。当該ファイル表示方法は、以下のステップを含んでもよい。
【０１２７】
ステップ６０１において、タッチスクリーン上に、電子ファイルの辺縁及び複数の表示要素を含む、当該電子ファイルの辺縁領域を表示する。
【０１２８】
ステップ６０２において、タッチスクリーン上に作用する対象の移動を検出する。
【０１２９】
当該移動は、辺縁領域中の一つの辺縁から遠くなる移動であってもよい。
【０１３０】
ステップ６０３において、当該対象の移動に応答して、複数の表示要素を当該辺縁から遠くなる方向に引伸ばして表示する。
【０１３１】
ステップ６０３は、ステップ２０３、ステップ３０３、ステップ４０３、及び、ステップ５０３の中のいずれか一ステップを採用して実現してもよい。
【０１３２】
ステップ６０４において、タッチスクリーン上で対象がもう検出されないと、第１所定期間内に、複数の表示要素を引伸ばし表示し続ける。
【０１３３】
引伸ばし表示する過程において、引き伸ばす速度は、対象の移動速度と関連関係を有する。
【０１３４】
端末は、タッチスクリーン上で対象の移動がもう検出されないと、第１所定期間内に、複数の表示要素を引伸ばし表示し続ける。当該第１所定期間は、０．２ｓであってもよい。
【０１３５】
例として、図６Ｂを参考して、電子ファイルがフォトギャラリー・アプリケーションの対話型インターフェイスであり、対象がユーザの指である例を挙げると、端末は、指がタッチスクリーン２３上で下方向に沿って移動すると、タッチスクリーン２３を通じて指の移動を検出する。端末は、当該指の移動に応答して、辺縁領域２２ａ中の指の位置と上方辺縁２６との間に位置する６個のサムネイルを、上方辺縁２６から遠くなる方向に引伸ばして表示する。端末は、タッチスクリーン２３上で指が検出されないと、０．２ｓ内に、６個のサムネイルを、上方辺縁２６から遠くなる方向に引伸ばして表示し続ける。
【０１３６】
ステップ６０５において、第２所定期間内に、引伸ばし表示した後の表示要素を、引き伸ばす前の表示状態に回復する。
【０１３７】
端末は、引伸ばし表示を中止した後に、第２所定期間内に、引伸ばし表示した後の表示要素を、引き伸ばす前の表示状態に回復してもよい。第２所定期間は、０．４ｓであってもよい。
【０１３８】
例として、図６Ｃを参考すると、端末は、０．２ｓ内に、６個のサムネイルを、上方辺縁２６から遠くなる方向に引伸ばして表示し続けた後に、０．４ｓ内に、引伸ばし表示した後の６個のサムネイル引き伸ばす前の表示状態に回復する。
【０１３９】
ステップ６０４の別の一ケースとして、タッチスクリーン上で依然として対象が検出されるが、当該対象が静止状態をそのまま維持したままもう移動しないと、端末は、現在の表示状態をそのまま維持する。
【０１４０】
上記のように、本実施例によって提供するファイル表示方法によると、さらに、対象がもう検出されないと、複数の表示要素を引伸ばし表示し続けることにより、ユーザに、ユーザの指がタッチスクリーンから離れた後に、指の遮蔽が無い状況で引伸ばし表示された表示要素をもっとはっきり見ることができて、既に電子ファイルの辺縁まで表示されたことをさらに明確に了解するようにする。
【０１４１】
端末は、ステップ６０４の前に、以下のステップをさらに含んでもよいことを補足して理解する必要がある。
【０１４２】
第１、タッチスクリーン上で対象がもう検出されない前に、対象の移動速度が予め設定した閾値以上であるか否かを検出する。
【０１４３】
第２、予め設定した閾値以上であると、ステップ６０４を実行する。
【０１４４】
第３、予め設定した閾値以上でないと、ステップ５０４を実行する。
【０１４５】
図７Ａは、例示的な別の一実施例に係るタッチスクリーン上のファイル表示方法を示すフローチャートである。当該ファイル表示方法をタッチスクリーンを含む端末に応用する例を挙げて、本実施例を説明する。当該ファイル表示方法は、以下のステップを含んでもよい。
【０１４６】
ステップ７０１において、タッチスクリーン上に、電子ファイルの辺縁及び複数の表示要素を含む、当該電子ファイルの辺縁領域を表示する。
【０１４７】
ステップ７０２において、タッチスクリーン上に作用する対象の移動を検出する。
【０１４８】
当該移動は、辺縁領域中の一つの辺縁から遠くなる移動であってもよい。
【０１４９】
ステップ７０３において、対象の移動に応答して、複数の表示要素を当該辺縁から遠くなる方向に引伸ばして表示する。
【０１５０】
ステップ７０３は、ステップ２０３、ステップ３０３、ステップ４０３、及び、ステップ５０３の中のいずれか一ステップを採用して実現してもよい。
【０１５１】
ステップ７０４において、タッチスクリーン上で対象がもう検出されないと、引伸ばし表示した後の表示要素を、少なくとも１回弾性的に伸び縮み表示してから、引き伸ばす前の表示状態に回復する。
【０１５２】
１回の弾性的な伸び縮み表示は、縮み表示と引伸ばし表示から構成された連続的な動画表示効果である。端末は、引伸ばし表示した後の表示要素を、１回弾性的に伸び縮み表示してから、引き伸ばす前の表示状態に回復してもよい。端末は、さらに、引伸ばし表示した後の表示要素を、何回も弾性的に伸び縮み表示してから、引き伸ばす前の表示状態に回復してもよい。隣接する２回の弾性的な伸び縮み表示同士の間に、前の弾性的な伸び縮み表示に採用する縮み比率は、後の弾性的な伸び縮み表示に採用する縮み比率より大きい。
【０１５３】
端末により弾性的な伸び縮み表示を１回実行する例を挙げると、図７Ｂに示したように、端末は、タッチスクリーン上３３で指がもう検出されないと、０．２ｓ内に、引伸ばし表示した後の７個の通話記録行を、縮み表示し、ここで、縮み表示した後の通話記録行の幅はそのまま変更されないが、高さはオリジナルの高さより小さくなる。その後、端末は、０．４ｓ内に、縮み表示した後の７個の通話記録行を、引伸ばし表示して、対象の移動につれて引伸ばし表示する前の表示状態に回復し、即ち、オリジナルの表示状態に回復する。ユーザの視角から見ると、７個の通話記録行は、指を離した後に、１回弾性的に伸び縮み表示された後に、オリジナルの表示状態に回復される。
【０１５４】
当然ながら、端末は、さらに、複数回、弾性的に伸び縮み表示した後に、表示要素をオリジナルの表示状態に回復してもよい。
【０１５５】
弾性的に伸び縮み表示する回数、及び、毎回弾性的に伸び縮み表示する時の伸び縮み比率によって、弾性的に伸び縮み表示する表示効果も互いに異なり、本明細書では詳しく説明しないが、当該弾性的に伸び縮み表示する方法を限定しないことを理解する必要がある。
【０１５６】
上記の複数の実施例において、端末により電子ファイルの辺縁領域を表示する方法は、初期に電子ファイルの辺縁領域を表示する方法であってもよく、平行移動する過程に電子ファイルの辺縁領域を表示する方法であってもよい。以下、三つの実施例を説明する。
【０１５７】
第１の実現方法：
図８Ａは、例示的な別の一実施例に係るタッチスクリーン上のファイル表示方法を示すフローチャートである。当該ファイル表示方法をタッチスクリーンを含む端末に応用する例を挙げて、本実施例を説明する。当該ファイル表示方法は、以下のステップを含んでもよい。
【０１５８】
ステップ８０１において、電子ファイルを開くための第１信号に応答して、タッチスクリーン上に、電子ファイルの辺縁及び複数の表示要素を含む、当該電子ファイルの辺縁領域を表示する。
【０１５９】
端末は、あるユーザインターフェイスを表示しようとする場合、ユーザがトリガした電子ファイルを開くための第１信号を受信してもよく、ここで、当該第１信号は、電子ファイルに対応するショートカット或いはアイコンをクリックする信号であってもよい。
【０１６０】
その後、端末は、第１信号に応答して、タッチスクリーン上に、電子ファイルの辺縁及び複数の表示要素を含む、当該電子ファイルの辺縁領域を表示する。当該辺縁は、一般的に、電子ファイルの上方辺縁、左方辺縁、或いは、両者の組み合わせを含む。
【０１６１】
一例として、図８Ｂを参考すると、端末は、まず、ショートカットインターフェイス８２を表示し、ここで、当該ショートカットインターフェイス８２には４行３列に配布した１２個のアプリケーションのアイコンが含まれる。ユーザの指により連絡帳・アプリケーションのアイコン８４をクリックすると、第１信号がトリガされる。端末は、第１信号に応答して、タッチスクリーン８３上で、ショートカットインターフェイス８２の表示をキャンセルした後に、電子ファイルを表示する。ここで、当該電子ファイルは、連絡帳・アプリケーションの対話型インターフェイス８６である。当該対話型インターフェイス８６は、左方辺縁８７、上方辺縁８８及び右方辺縁８９を含む。しかし、対話型インターフェイス８６の長さがタッチスクリーン８３の高さより大きいため、下方辺縁は表示されない。
【０１６２】
ステップ８０２において、タッチスクリーン上に作用する対象の移動を検出する。
【０１６３】
当該移動は、辺縁領域中の一つの辺縁から遠くなる移動であってもよい。
【０１６４】
ステップ８０３において、当該移動に応答して、複数の表示要素を当該辺縁から遠くなる方向に引伸ばして表示する。
【０１６５】
本ステップは、ステップ２０３、ステップ３０３、ステップ４０３、及び、ステップ５０３の中のいずれか一ステップを採用して実現してもよい。
【０１６６】
第２の実現方法：
図９Ａは、例示的な別の一実施例に係るタッチスクリーン上のファイル表示方法を示すフローチャートである。当該ファイル表示方法をタッチスクリーンを含む端末に応用する例を挙げて、本実施例を説明する。当該ファイル表示方法は、以下のステップを含んでもよい。
【０１６７】
ステップ９０１において、電子ファイルに切り替えるための第２信号に応答して、タッチスクリーン上に電子ファイルの辺縁領域を表示する。
【０１６８】
端末は、電子ファイルＡが表示されている時に、ユーザによりトリガした電子ファイルＢに切り替えるための第２信号を受信してもよく、ここで、当該第２信号は、電子ファイルＢに対応するショートカット或いはアイコンをクリックする信号であってもよい。
【０１６９】
その後、端末は、第２信号に応答して、タッチスクリーン上に電子ファイルＢの辺縁領域を表示し、ここで、当該辺縁領域には、電子ファイルＢの辺縁及び複数の表示要素が含まれる。当該辺縁は、一般的に、電子ファイルの上方辺縁、左方辺縁、或いは、両者の組み合わせを含む。
【０１７０】
一例として、図９Ｂを参考すると、電子ファイルＡは連絡帳インターフェイスであり、電子ファイルＢは通話記録インターフェイスである。端末は、まず、連絡帳・アプリケーションの連絡帳インターフェイス９２を表示する。ユーザの指により連絡帳インターフェイス９２の上方の通話記録インターフェイス９４に対応するコンポーネント９６をクリックすると、第２信号がトリガされる。端末は、第２信号に応答して、タッチスクリーン９３上で、連絡帳インターフェイス９２を通話記録インターフェイス９４に切り替えして表示する。ここで、当該通話記録インターフェイス９４は、左方辺縁９７、上方辺縁９８及び右方辺縁９９を含む。しかし、通話記録インターフェイス９４の長さはタッチスクリーン９３の高さより大きいため、下方辺縁は表示されない。
【０１７１】
ステップ９０２において、タッチスクリーン上に作用する対象の移動を検出する。
【０１７２】
当該移動は、辺縁領域中の一つの辺縁から遠くなる移動であってもよい。
【０１７３】
ステップ９０３において、当該対象の移動に応答して、複数の表示要素を当該辺縁から遠くなる方向に引伸ばして表示する。
【０１７４】
本ステップは、ステップ２０３、ステップ３０３、ステップ４０３、及び、ステップ５０３の中のいずれか一ステップを採用して実現してもよい。
【０１７５】
第３の実現方法：
図１０Ａは、例示的な別の一実施例に係るタッチスクリーン上のファイル表示方法を示すフローチャートである。当該ファイル表示方法をタッチスクリーンを含む端末に応用する例を挙げて、本実施例を説明する。当該ファイル表示方法は、以下のステップを含んでもよい。
【０１７６】
ステップ１００１において、タッチスクリーン上に電子ファイルの一部の領域を表示する。
【０１７７】
端末は、電子ファイルが表示されている時に、電子ファイルの一部の領域を表示してもよく、当該一部の領域には電子ファイルの一部の表示要素が含まれる。
【０１７８】
一例として、図１０Ｂを参考すると、電子ファイルは通話記録インターフェイス１０２であり、タッチスクリーン１０３上に当該通話記録インターフェイス１０２の一部の領域が表示されている。当該一部の領域には、第２から第８の通話記録行が含まれる。
【０１７９】
ステップ１００２において、タッチスクリーン上に作用する対象の移動を検出する。
【０１８０】
当該対象は、ユーザの指、タッチペン、或いは、タッチスクリーンにより検出できる他の制御対象であってもよい。
【０１８１】
端末は、当該対象が移動すると、タッチスクリーンによって当該対象の移動を検出する。当該移動は、平行移動であってもよい。例えば、当該移動は、辺縁領域中の一つの辺縁から遠くなる移動であってもよい。
【０１８２】
ステップ１００３において、対象の移動に応答して、電子ファイルの一部の領域を平行移動して、辺縁領域を表示する。
【０１８３】
端末は、対象の移動に応答して、電子ファイルを平行移動して表示する。
【０１８４】
例として、図１０Ｃを参考すると、対象がユーザの指である例を挙げると、指がタッチスクリーン１０３上で上方向へ移動する時、端末は、タッチスクリーン１０３を通じて指の移動を検出する。当該移動に応答して、端末は、電子ファイルの一部の領域を上方向へ平行移動して、辺縁領域１０４を表示し、ここで、当該辺縁領域１０４には第３から第９の通話記録行、及び、通話記録インターフェイスの下方辺縁１０６が含まれる。
【０１８５】
ステップ１００４において、タッチスクリーン上に作用する対象の移動を検出する。
【０１８６】
端末は、対象の移動を検出し続ける。ここで、当該移動は、ステップ１００２中の移動と連続的な１回の移動であってもよいし、ステップ１００２中の移動と連続的でない２回の移動であってもよい。
【０１８７】
当該移動は、辺縁領域１０４の中の下方辺縁１０６から遠くなる移動であってもよい。
【０１８８】
ステップ１００５において、対象の移動に応答して、複数の表示要素を当該辺縁から遠くなる方向に引伸ばして表示する。
【０１８９】
端末対象の移動に応答して、複数の表示要素を下方辺縁９６から遠くなる方向に引伸ばして表示する。
【０１９０】
本ステップは、ステップ１０３、ステップ３０３、ステップ４０３、及び、ステップ５０３の中のいずれか一ステップを採用して実現してもよい。
【０１９１】
例として、図１０Ｄを参考すると、端末は、辺縁領域１０４を表示した後、指によりタッチスクリーン１０３上で依然として上方向へ移動すると、当該指の移動に応答して、辺縁領域１０４中の第３から第９の通話記録行を、下方辺縁１０６から遠くなる方向に引伸ばして表示する。
【０１９２】
上記の各方法の実施例に係るファイル表示方法は、いろんなＯＳ上で実現でき、また、各ＯＳ上の下層の実現方法が互いに異なってもよいことを理解する必要がある。
例えば、アンドロイド（Ａｎｄｒｏｉｄ）ＯＳにおいて実現する図２Ｃに示した引き伸ばす効果、即ち、全部の表示要素を同一の引伸ばし比率によって引伸ばし表示する効果は、図１２Ａに示すステップを含んでもよい。
【０１９３】
ステップ１１０１において、対象の移動距離に基づいて、弾性ポテンシャルエネルギー値ｉｎｅｒｔｉａを更新する。
【０１９４】
当該弾性ポテンシャルエネルギー値ｉｎｅｒｔｉａは、表示要素が引伸ばし表示される時の弾力性である。当該弾性ポテンシャルエネルギー値ｉｎｅｒｔｉａの初期値は、０であってもよい。
【０１９５】
電子ファイルを引伸ばし表示する際に、当該弾性ポテンシャルエネルギー値ｉｎｅｒｔｉａとタッチスクリーン上の対象の移動距離とは正の相関関係を有し、つまり、タッチスクリーン上の対象の移動距離の値が大きいほど、当該弾性ポテンシャルエネルギー値ｉｎｅｒｔｉａももっと大きい。
【０１９６】
端末は、所定の時間間隔をあけて、対象の移動距離に基づいて、弾性ポテンシャルエネルギー値ｉｎｅｒｔｉａを更新する。当該所定の時間間隔は、隣接する二つのフレームの表示画面の間の表示間隔未満である。
【０１９７】
ステップ１１０２において、端末は、第ｎフレームの表示画面に対して、現在の弾性ポテンシャルエネルギー値ｉｎｅｒｔｉａに基づいて、引伸ばし比率を算出する。
【０１９８】
表示画面は一つ一つのフレームで表示する。それで、端末は、第ｎフレームの表示画面に対して、現在の弾性ポテンシャルエネルギー値ｉｎｅｒｔｉａに基づいて、引伸ばし比率を算出する。隣接するフレームの間の当該引伸ばし比率の増加速度と、弾性ポテンシャルエネルギー値ｉｎｅｒｔｉａは、負の相関関係を有し、即ち、弾性ポテンシャルエネルギー値ｉｎｅｒｔｉａが大きいほど、隣接するフレームの間の引伸ばし比率の増加速度は小さいし、弾性ポテンシャルエネルギー値ｉｎｅｒｔｉａが小さいほど、隣接するフレームの間の引伸ばし比率の増加速度は大きい。
【０１９９】
ステップ１１０３において、端末は、第１フレームの表示画面を算出した引伸ばし比率によって引き伸ばして、第ｎフレームの表示画面を得る。
【０２００】
端末は、引伸ばし表示しようとする表示要素を一つの容器に収納してもよい。例えば、電子ファイルの全部の表示要素をすべて一つの容器中に収納する。その後、端末は、第１フレームの表示画面を算出した引伸ばし比率によって引き伸ばして、第ｎ（ｎ≧２）フレームの表示画面をえる。
【０２０１】
例として、図１１Ｂを参考すると、第１フレームの表示画面の中の１２個のサムネイルは引き伸ばされていないが、平行移動によって、すでに電子ファイルの辺縁領域が表示されている。タッチスクリーン２３上の指の移動距離がａｃｍであり、この時の弾性ポテンシャルエネルギー値がＡ１であり、端末により弾性ポテンシャルエネルギー値Ａ１に基づいて算出し得た第２フレームの表示画面の引伸ばし比率が１０４％の縦方向の引き伸ばしであると想定する。すると、端末は、１２個のサムネイルが収納された容器全体を縦方向に１０４％引き伸ばして、第２フレームの表示画面を得る。第１フレームの表示画面に対する第２フレームの表示画面の引伸ばし比率の増加速度は、（１０４％-１００％）/ｔ=４％/ｔである。ｔは、隣接する二つのフレーム同士の間の表示時間の差分である。
【０２０２】
その後、第３フレームの表示画面の場合は、タッチスクリーン２３上の指の移動距離がａ+０。２ｃｍであり、この時の弾性ポテンシャルエネルギー値がＡ２（Ａ２＞Ａ１）であり、端末により弾性ポテンシャルエネルギー値Ａ２に基づいて算出し得た第３フレームの表示画面の引伸ばし比率が１０７％の縦方向の引き伸ばしであるとする。すると、端末は、第１フレームの表示画面中の１２個のサムネイルを収納された容器全体を、縦方向に１０７％引き伸ばして、第３フレームの表示画面を得る。当然ながら、指の移動距離が増加されたので、弾性ポテンシャルエネルギー値も増加され、第２フレームの表示画面に対する第３フレームの表示画面の引伸ばし比率の増加速度は、（１０７％-１０４％）/ｔ=３％/ｔであり、引伸ばし比率の増加速度は小さくなっている。
【０２０３】
しかし、単一のフレームの表示画面において、各サムネイルの引伸ばし比率は互いに同一である。
【０２０４】
また、本発明の実施例には、さらに、以下の実施例を含む。
【０２０５】
図１２Ａは、例示的な別の一実施例に係るタッチスクリーン上のファイル表示方法を示すフローチャートである。当該ファイル表示方法をタッチスクリーンを含む端末に応用する例を挙げて、本実施例を説明する。当該ファイル表示方法は、以下のステップを含んでもよい。
【０２０６】
ステップ１２０１において、タッチスクリーン上に電子ファイルの第１領域を表示する。
【０２０７】
端末は、電子ファイルが表示されている際に、電子ファイルの第１領域を表示してもよく、ここで、当該第１領域には電子ファイルの一部の表示要素が含まれる。
【０２０８】
ステップ１２０２において、タッチスクリーン上に作用する対象の移動を検出する。
【０２０９】
端末は、当該対象が移動すると、タッチスクリーンによって当該対象の移動を検出する。当該移動は、平行移動であってもよい。例えば、当該移動は、辺縁領域中の一つの辺縁から遠くなる移動であってもよい。
【０２１０】
ステップ１２０３において、対象の移動に応答して、電子ファイルの第１領域を平行移動して、第２領域を表示する。
【０２１１】
端末対象の移動に応答して、電子ファイルを平行移動して表示する。当該平行移動表示の平行移動速度は、対象の移動速度と同一であってもよい。
【０２１２】
例として、図１２Ｂを参考すると、電子ファイルが通話記録インターフェイス１２２であり、タッチスクリーン１２３上に当該通話記録インターフェイス１２２の第１領域が表示されているとする。当該第１領域には、第１から第７の通話記録行が含まれる。
【０２１３】
対象がユーザの指である例を挙げると、端末は、タッチスクリーン１２３上で指が上方向へ移動すると、タッチスクリーン１２３を通じて指の移動を検出する。端末は、当該指の移動に応答して、電子ファイルの第１領域を上方向に平行移動して、第２領域１２４を表示し、ここで、当該第２領域１２４には第２から第８の通話記録行が含まれる。
【０２１４】
当該方法をアンドロイドＯＳ中で実現すると、平行移動して表示する過程において、端末は、引伸ばし表示は行わないが、弾性ポテンシャルエネルギー値ｉｎｅｒｔｉａと対象の移動速度とが正の相関関係を有するように設定してもよい。例えば、弾性ポテンシャルエネルギー値ｉｎｅｒｔｉａを、隣接する二つのフレームの表示画面の中で、後の一フレームの表示画面に対応する対象位置から、前の一フレームの表示画面に対応する対象位置を減算して得る値に設定してもよい。対象位置とは、タッチスクリーンにおける対象に対応する作用位置である。
【０２１５】
ステップ１２０４において、タッチスクリーン上で対象がもう検出されないと、電子ファイルの第２領域を平行移動し表示し続ける。
【０２１６】
平行移動し表示する過程において、平行移動の速度は対象の移動速度と関連がある。
【０２１７】
端末は、タッチスクリーン上で対象がもう検出されないと、電子ファイルの第２領域を、だんだん減衰する平行移動速度で、平行移動し表示し続ける。平行移動速度は、予め設定した減衰モードによって予め設定した閾値まで次第に減衰してもよく、ここで、当該予め設定した閾値は０であってもよい。予め設定した減衰モードは、一定の速度の減衰モードであってもよい。
【０２１８】
だんだん減衰する平行移動速度によって、電子ファイルの第２領域を平行移動し表示する過程は、ユーザに、「慣性的に」スライドされる効果を与える。
【０２１９】
例として、図１２Ｂを参考すると、端末は、タッチスクリーン１２３上で指が検出されないと、だんだん減衰する平行移動速度によって、第２領域１２４を平行移動し表示し続ける。
【０２２０】
当該方法をアンドロイドＯＳ中で実現すると、端末は、タッチスクリーンを通じて対象がもう検出されないと、予め設定した減衰方法に従って、保存された弾性ポテンシャルエネルギー値を減衰させる。
【０２２１】
ステップ１２０５において、平行移動し表示して、当該辺縁及び複数の表示要素を含む、当該電子ファイルの辺縁領域までに達すると、辺縁領域中の複数の表示要素を、電子ファイルの辺縁から遠くなる方向に引伸ばして表示する。
【０２２２】
だんだん減衰する平行移動速度で、第２領域１２４を平行移動し表示し続ける時に、電子ファイルの辺縁領域に達すると同時に、この時の平行移動速度が０まで減衰されなった場合に、端末は、第１所定期間内に、辺縁領域中の複数の表示要素を、電子ファイルの辺縁から遠くなる方向に引伸ばして表示する。
【０２２３】
例として、図１２Ｂを参考すると、端末は、通話記録インターフェイス１２２中の第２領域１２４を、減衰された後の平行移動速度によって平行移動し表示する。平行移動し表示して、通話記録インターフェイス１２２の辺縁領域１２５に達すると同時に、平行移動速度がまだ０まで減衰されなかった場合、端末は、辺縁領域１２５中の第３から第９の通話記録行を、下方辺縁１２６から遠くなる方向に引伸ばして表示する。
【０２２４】
当該引伸ばし表示過程を、イージング補間アルゴリズムを採用して実現してもよい。当該引伸ばし表示する過程の継続期間は第１所定期間であってもよく、例えば０.２ｓであってもよい。端末は、引伸ばし表示する前に、保存された弾性ポテンシャルエネルギー値をイージング補間アルゴリズムに入力して、当該イージング補間アルゴリズムを利用して、当該弾性ポテンシャルエネルギー値に基づいて引伸ばし表示する過程中の引伸ばし比率を算出してもよい。イージング補間アルゴリズムの実現方式には、いろんな方式があり、本発明の実施例はこれに対して限定しない。
【０２２５】
ステップ１２０６において、引伸ばし表示した後の表示要素を、引き伸ばす前の表示状態に回復する。
【０２２６】
端末は、引伸ばし表示した後、第２所定期間内に、引伸ばし表示した後の表示要素を、引き伸ばす前の表示状態に回復してもよい。
【０２２７】
当該回復表示過程も、イージング補間アルゴリズムを採用して実現してもよい。当該回復表示過程の継続期間は、予め設定した値であってもよく、例えば０．４ｓであってもよい。当該回復表示過程を、上記の引伸ばし表示の逆の過程と見なしてもよい。
【０２２８】
例として、図１２Ｃに示したように、端末が０．４ｓ内に、引伸ばし表示した後の７個の通話記録行を、引き伸ばす前の表示状態に回復する。
【０２２９】
上記のように、本実施例によって提供するファイル表示方法によると、端末により、対象がもう検出されない時に、平行移動表示と引伸ばし表示を引き続き実行することにより、ユーザに、指をタッチスクリーンから離した後にも、電子ファイルの平行移動表示過程がすでに電子ファイルの辺縁領域まで達したことを、明確に了解するようにする。
【０２３０】
同様に、図７Ａの実施例中のステップ７０４も、イージング補間アルゴリズムを採用して実現されてもよい。
【０２３１】
以下は、本発明の装置の実施例であり、本発明の方法の実施例を実行することができる。本発明の装置の実施例において記述していない細部内容に対しては、本発明の方法の実施例を参照してください。
【０２３２】
図１３は、例示的な一実施例に係るタッチスクリーン上のファイル表示装置を示すブロック図である。当該ファイル表示装置は、ソフトウェア、ハードウェア、或いは、両者の組み合わせによって、タッチスクリーンの電子機器の一部或いは全部を実現してもよい。
【０２３３】
当該ファイル表示装置は、
タッチスクリーン上に、電子ファイルの辺縁及び複数の表示要素を含む、当該電子ファイルの辺縁領域を表示するための領域表示モジュール１３２０と、
タッチスクリーン上に作用する対象の移動を検出するための移動検出モジュール１３４０と、
対象の移動に応答して、複数の表示要素を辺縁から遠くなる方向に引伸ばして表示するための引伸ばし表示モジュール１３６０と
を備えてもよい。
【０２３４】
上記のように、本実施例によって提供するファイル表示装置によると、既に電子ファイルの辺縁領域まで表示した際に、複数の表示要素を電子ファイルの辺縁から遠くなる方向に引伸ばして表示して、ユーザの平行移動操作に対する応答とすることにより、ユーザに、既に電子ファイルの辺縁まで表示されたことを明確に通知できて、ユーザの実際に操作意味がない平行移動操作の繰り返し実行を避けて、ユーザの操作効率を高めた。
【０２３５】
図１４は、例示的な一実施例に係るタッチスクリーン上のファイル表示装置を示すブロック図である。当該ファイル表示装置は、ソフトウェア、ハードウェア、或いは、両者の組み合わせによって、タッチスクリーンの電子機器の一部或いは全部を実現してもよい。
【０２３６】
当該ファイル表示装置は、
タッチスクリーン上に、電子ファイルの辺縁及び複数の表示要素を含む、当該電子ファイルの辺縁領域を表示するための領域表示モジュール１３２０と、
タッチスクリーン上に作用する対象の移動を検出するための移動検出モジュール１３４０と、
対象の移動に応答して、複数の表示要素を辺縁から遠くなる方向に引伸ばして表示するための引伸ばし表示モジュール１３６０と
を備えてもよい。
【０２３７】
第１の実現方法において、引伸ばし表示モジュール１３６０は、辺縁領域中の全部の表示要素を、辺縁から遠くなる方向に引伸ばして表示する。
【０２３８】
第２の実現方法において、引伸ばし表示モジュール１３６０は、辺縁から最も近いｎ（ｎは正の整数である）行の表示要素の表示状態をそのまま維持し、辺縁から最も近いｎ行の表示要素以外の他の行の表示要素を、辺縁から遠くなる方向に引伸ばして表示する。
【０２３９】
第１と第２の実現方法において、各々の表示要素に対する引伸ばし比率が同一であるか、或いは、各々の表示要素に対する引伸ばし比率と、要素と辺縁との間の距離である第１距離とは、正の相関関係を有する。
【０２４０】
第３の実現方法において、引伸ばし表示モジュール１３６０は、辺縁と対象位置との間に位置する表示要素を、辺縁から遠くなる方向に引伸ばして表示し、
ここで、対象位置は、タッチスクリーンにおける対象に対応する作用位置である。
【０２４１】
第４の実現方法において、引伸ばし表示モジュール１３６０は、辺縁と対象位置との間に位置する表示要素の中から、辺縁から最も近いｎ（ｎは正の整数である）行の表示要素以外の他の行の表示要素を、辺縁から遠くなる方向に引伸ばして表示し、
ここで、対象位置は、タッチスクリーンにおける対象に対応する作用位置である。
【０２４２】
第３と第４の実現方法において、各々の表示要素に対する引伸ばし比率が同一であるか、
或いは、各々の表示要素に対する引伸ばし比率と、要素と辺縁との間の距離である第１距離とは、正の相関関係を有するか、
或いは、各々の表示要素に対する引伸ばし比率と、辺縁に垂直な直線上の表示要素と対象位置とのマッピング距離である第２距離とが、正の相関関係を有する。
【０２４３】
オプションとして、当該装置は、
電子ファイルの辺縁の表示状態をそのまま維持するための維持モジュール１３５０をさらに備える。
【０２４４】
オプションとして、当該装置は、
タッチスクリーン上で対象がもう検出されないと、引伸ばし表示した後の表示要素を、引き伸ばす前の表示状態に回復するための回復表示モジュール１３８０をさらに備える。
【０２４５】
或いは、
タッチスクリーン上で対象がもう検出されないと、引伸ばし表示した後の表示要素を、少なくとも１回弾性的に伸び縮み表示してから、引き伸ばす前の表示状態に回復するための回復表示モジュール１３８０をさらに備える。
【０２４６】
オプションとして、当該装置は、
タッチスクリーン上で対象がもう検出されないと、第１所定期間内に、複数の表示要素を引伸ばし表示し続けるための第１引伸ばしモジュール１３９２と、
第２所定期間内に、引伸ばし表示した後の表示要素を、引き伸ばす前の表示状態に回復するための第２回復モジュール１３９４と
をさらに備える。
【０２４７】
オプションとして、領域表示モジュール１３２０は、
電子ファイルを開くための第１信号に応答して、タッチスクリーン上に電子ファイルの辺縁領域を表示するための第１表示サブモジュール１３２２、或いは、
電子ファイルに切り替えるための第２信号に応答して、タッチスクリーン上に電子ファイルの辺縁領域を表示するための第２表示サブモジュール１３２４、或いは、
タッチスクリーン上に電子ファイルの一部の領域を表示し、タッチスクリーン上に作用する対象の移動を検出して、対象の移動に応答して、電子ファイルの一部の領域を平行移動して、辺縁領域を表示するための第３表示サブモジュール１３２６
を備える。
【０２４８】
上記のように、本実施例によって提供するファイル表示装置によると、既に電子ファイルの辺縁領域まで表示した際に、複数の表示要素を電子ファイルの辺縁から遠くなる方向に引伸ばして表示して、ユーザの平行移動操作に対する応答とすることにより、ユーザに、既に電子ファイルの辺縁まで表示されたことを明確に通知できて、ユーザの実際に操作意味がない平行移動操作の繰り返し実行を避けて、ユーザの操作効率を高めた。
【０２４９】
本実施例によって提供するファイル表示装置によると、さらに、引伸ばし表示した後の表示要素を、引き伸ばす前の表示状態に回復することにより、ユーザに既に電子ファイルの辺縁まで表示されたことを明確に通知した後に引き伸ばす前の表示状態に回復させることにより、ユーザの他の操作の実行を便利にした。
【０２５０】
図１５は、例示的な一実施例に係るタッチスクリーン上のファイル表示装置を示すブロック図である。当該ファイル表示装置は、ソフトウェア、ハードウェア、或いは、両者の組み合わせによって、タッチスクリーンの電子機器の一部或いは全部を実現してもよい。
【０２５１】
当該ファイル表示装置は、
タッチスクリーン上に電子ファイルの第１領域を表示するための領域表示モジュール１５１０と、
タッチスクリーン上に作用する対象の移動を検出するための移動検出モジュール１５２０と、
対象の移動に応答して、電子ファイルの第１領域を平行移動して第２領域を表示するための第２表示モジュール１５３０と、
タッチスクリーン上で対象がもう検出されないと、電子ファイルの第２領域を平行移動し表示し続けるための平行移動表示モジュール１５４０と、
平行移動し表示して、辺縁及び複数の表示要素を含む、当該電子ファイルの辺縁領域まで達すると、辺縁領域中の複数の表示要素を、電子ファイルの辺縁から遠くなる方向に引伸ばして表示するための引伸ばし表示モジュール１５５０と、
引伸ばし表示した後の表示要素を、引き伸ばす前の表示状態に回復するための回復表示モジュール１５６０と、
を備える。
【０２５２】
上記のように、本実施例によって提供するファイル表示装置によると、端末により、対象がもう検出されない時に、平行移動表示と引伸ばし表示を引き続けて実行することにより、ユーザに、指をタッチスクリーンから離した後にも、電子ファイルの平行移動表示過程がすでに電子ファイルの辺縁領域まで達したことを、明確に了解するようにする。
【０２５３】
上記の実施例の装置について、その各モジュールが実行する操作の具体的な形態は既に当該方法に関する実施例において詳細に説明したため、ここでは詳細に説明しない。
【０２５４】
図１６は、例示的な一実施例に係るタッチスクリーン上のファイル表示装置１６００を示すブロック図である。例えば、装置１６００は、携帯電話、コンピュータ、デジタル放送端末、メッセージ送受信デバイス、ゲームコンソール、タブレットデバイス、医療機器、フィットネス機器、パーソナルデジタルアシスタント等であってもよい。
【０２５５】
図１６を参照して、装置１６００は、処理ユニット１６０２、メモリ１６０４、電源ユニット１６０６、マルチメディアユニット１６０８、オーディオユニット１６１０、入出力（Ｉ／Ｏ）インターフェイス１６１２、センサユニット１６１４、及び通信ユニット１６１６のような一つ以上のユニットを含んでよい。
【０２５６】
処理ユニット１６０２は、一般的には装置１６００の全体の移動を制御するものであり、例えば、表示、電話呼び出し、データ通信、カメラ移動、及び記録移動と関連する移動を制御する。処理ユニット１６０２は、一つ以上のプロセッサ１６２０を含み、これらによって命令を実行することにより、上記の方法の全部、或は一部のステップを実現するようにしてもよい。なお、処理ユニット１６０２は、一つ以上のモジュールを含み、これらによって処理ユニット１６０２と他のユニットの間のインタラクションを容易にするようにしてもよい。例えば、処理ユニット１６０２は、マルチメディアモジュールを含み、これらによってマルチメディアユニット１６０８と処理ユニット１６０２の間のインタラクションを容易にするようにしてもよい。
【０２５７】
メモリ１６０４は、各種類のデータを記憶することにより装置１６００の移動を支援するように構成される。これらのデータの例は、装置１６００において移動するいずれのアプリケーションプログラム又は方法の命令、連絡対象データ、電話帳データ、メッセージ、画像、ビデオ等を含む。メモリ１６０４は、いずれの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクである。
【０２５８】
電源ユニット１６０６は、装置１６００の多様なユニットに電力を供給する。電源ユニット１６０６は、電源管理システム、一つ以上の電源、及び装置１６００のための電力の生成、管理及び割り当てに関連付けられている他のユニットを含んでもよい。
【０２５９】
マルチメディアユニット１６０８は、前記装置１６００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スワイプ、及びタッチパネル上のジェスチャを検出することができる。前記タッチセンサは、タッチ、或はスワイプの移動の境界だけでなく、前記のタッチ、或はスワイプ操作に係る継続時間及び圧力も検出できる。上記の実施例において、マルチメディアユニット１６０８は、一つのフロントカメラ、及び／又はリアカメラを含む。装置１６００が、例えば撮影モード、或はビデオモード等の移動モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０２６０】
オーディオユニット１６１０は、オーディオ信号を入出力するように構成されてもよい。例えば、オーディオユニット１６１０は、一つのマイク（ＭＩＣ）を含み、装置１６００が、例えば呼出しモード、記録モード、及び音声認識モード等の移動モードにある場合、マイクは外部のオーディオ信号を受信することができる。受信されたオーディオ信号は、さらにメモリ１６０４に記憶されたり、通信ユニット１６１６を介して送信されたりされる。上記の実施例において、オーディオユニット１６１０は、オーディオ信号を出力するための一つのスピーカーをさらに含む。
【０２６１】
Ｉ／Ｏインターフェイス１６１２は、処理ユニット１６０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、作動ボタン、ロッキングボタンを含んでもよいが、これらに限定されない。
【０２６２】
センサユニット１６１４は、装置１６００に各種の状態に対する評価を提供するための一つ以上のセンサを含む。例えば、センサユニット１６１４は、装置１６００のＯＮ／ＯＦＦ状態、装置１６００のディスプレイとキーパッドのようなユニットの相対的な位置決めを検出できる。また、例えば、センサユニット１６１４は、装置１６００、或は装置１６００の一つのユニットの位置変更、ユーザと装置１６００とが接触しているか否か、装置１６００の方位、又は加速／減速、装置１６００の温度の変化を検出できる。センサユニット１６１４は、何れの物理的接触がない状態にて付近の物体の存在を検出するための近接センサを含んでもよい。センサユニット１６１４は、撮影アプリケーションに適用するため、ＣＭＯＳ、又はＣＣＤ画像センサのような光センサを含んでもよい。上記の実施例において、当該センサユニット１６１４は、加速度センサ、ジャイロスコープセンサ、磁気センサ、圧力センサ、及び温度センサをさらに含んでもよい。
【０２６３】
通信ユニット１６１６は、装置１６００と他の機器の間に有線、又は利便性のよい形態の通信を提供する。装置１６００は、例えばＷｉＦｉ（登録商標）、２Ｇ、３Ｇ、或はこれらの組み合わせのような、通信規格に基づいた無線ネットワークに接続されてもよい。一つの例示的な実施例において、通信ユニット１６１６は、放送チャンネルを介して外部の放送管理システムからの放送信号、又は放送に関連する情報を受信する。一つの例示的な実施例において、前記通信ユニット１６１６は、近距離無線通信（ＮＦＣ）モジュールをさらに含むことにより、近距離通信を可能にする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、他の技術に基づいて実現できる。
【０２６４】
例示的な実施例において、装置１６００は、一つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０２６５】
例示的な実施例において、さらに、命令を含むコンピュータ読取り可能な非一時的な記録媒体、例えば命令を含むメモリ１６０４を提供しており、装置１６００のプロセッサ１６２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク（登録商標）、光データ記憶デバイス等である。
【０２６６】
コンピュータ読取り可能な非一時的な記録媒体は、当該記録媒体中の命令が装置１６００のプロセッサによって実行される際に、装置１６００に、ファイル表示方法を実行させる。
【０２６７】
当業者は、ハードウェアによって上記実施例を実現するステップの全体又はその一部を実行してもよいし、プログラムにより関連するハードウェアを指定して実行するようにしてもよいし、上記プログラムを不揮発性の読取可能である記憶媒体に記憶させてもよいし、以上に言及した記憶媒体としては、ＲＯＭ、磁気ディスク又は光ディスク等が挙げられると、理解するべきである。
【０２６８】
上述の内容は本発明の比較的適切な実施例に過ぎず、本発明を制限するものではなく、本発明の旨及び原則内で行う如何なる修正、同等の置換、改善等は本発明の保護範囲内に含まれる。
本願は、出願番号がＣＮ２０１５１００５０３３１．０であって、出願日が２０１５年１月３０日である中国特許出願に基づいて優先権を主張し、当該中国特許出願のすべての内容を援用する。
【図１】
2017510918.tif 000003
【図２Ａ】
2017510918.tif 000004
【図２Ｂ】
2017510918.tif 000005
【図２Ｃ】
2017510918.tif 000006
【図２Ｄ】
2017510918.tif 000007
【図２Ｅ】
2017510918.tif 000008
【図３Ａ】
2017510918.tif 000009
【図３Ｂ】
2017510918.tif 000010
【図３Ｃ】
2017510918.tif 000011
【図３Ｄ】
2017510918.tif 000012
【図３Ｅ】
2017510918.tif 000013
【図４Ａ】
2017510918.tif 000014
【図４Ｂ】
2017510918.tif 000015
【図４Ｃ】
2017510918.tif 000016
【図４Ｄ】
2017510918.tif 000017
【図５Ａ】
2017510918.tif 000018
【図５Ｂ】
2017510918.tif 000019
【図５Ｃ】
2017510918.tif 000020
【図５Ｄ】
2017510918.tif 000021
【図６Ａ】
2017510918.tif 000022
【図６Ｂ】
2017510918.tif 000023
【図６Ｃ】
2017510918.tif 000024
【図７Ａ】
2017510918.tif 000025
【図７Ｂ】
2017510918.tif 000026
【図８Ａ】
2017510918.tif 000027
【図８Ｂ】
2017510918.tif 000028
【図９Ａ】
2017510918.tif 000029
【図９Ｂ】
2017510918.tif 000030
【図１０Ａ】
2017510918.tif 000031
【図１０Ｂ】
2017510918.tif 000032
【図１０Ｃ】
2017510918.tif 000033
【図１０Ｄ】
2017510918.tif 000034
【図１１Ａ】
2017510918.tif 000035
【図１１Ｂ】
2017510918.tif 000036
【図１２Ａ】
2017510918.tif 000037
【図１２Ｂ】
2017510918.tif 000038
【図１２Ｃ】
2017510918.tif 000039
【図１３】
2017510918.tif 000040
【図１４】
2017510918.tif 000041
【図１５】
2017510918.tif 000042
【図１６】
2017510918.tif 000043
【手続補正書】
【提出日】平成27年10月29日(2015.10.29)
【手続補正１】
【補正対象書類名】明細書
【補正対象項目名】全文
【補正方法】変更
【補正の内容】
【発明の詳細な説明】
【技術分野】
【０００１】
本発明は、ヒューマンコンピュータインタラクション分野に関し、特に、タッチスクリーン上のファイル表示方法、装置、プログラム及び記憶媒体に関する。
【背景技術】
【０００２】
モバイル端末の機能の豊富化に伴い、モバイル端末のユーザインターフェイス上に表示する内容もますます多くなって、ユーザインターフェイスの使いやすさが特に重要になった。特に、モバイル端末のスクリーンのサイズがより小さい場合、ユーザインターフェイスの使いやすさに対する要求はもっと高くなる。
【発明の概要】
【発明が解決しようとする課題】
【０００３】
モバイル端末のスクリーンのサイズがより小さいが、表示しようとする電子ファイルのサイズがより大きい場合、スクリーン上に、同時に、電子ファイルの一部しか表示できない。この時、ユーザはスクリーン上で電子ファイルを平行移動して表示することにより、電子ファイルの他の部分を表示させなければならない。例えば、ユーザは、電子ファイルを上方向又は下方向へ平行移動させて、電子ファイルを表示してもよい。
【０００４】
しかし、モバイル端末がすでに電子ファイルの一方の辺縁部まで表示させた場合、ユーザによりトリガした当該電子ファイルを一方へ平行移動して表示させる要請は、一般的に、モバイル端末に応答されなくなる。この時、ユーザはモバイル端末が一時停止或いはダウンできたと理解しやすい。
【課題を解決するための手段】
【０００５】
本発明の実施例は、タッチスクリーン上のファイル表示方法、装置、プログラム及び記憶媒体を提供する。その構成は以下のとおりである。
【０００６】
本発明の実施例に係る第１の態様によると、タッチスクリーン上のファイル表示方法を提供する。
【０００７】
当該方法は、
タッチスクリーン上に、電子ファイルの辺縁及び複数の表示要素を含む、当該電子ファイルの辺縁領域を表示するステップと、
タッチスクリーン上に作用する対象の移動を検出するステップと、
当該対象の移動に応答して、複数の表示要素を当該辺縁から遠くなる方向に引伸ばして表示するステップと
を含む。
【０００８】
本発明の実施例に係る第２の態様によると、タッチスクリーン上のファイル表示方法を提供する。
【０００９】
当該方法は、
タッチスクリーン上に電子ファイルの第１領域を表示するステップと、
タッチスクリーン上に作用する対象の移動を検出するステップと、
当該対象の移動に応答して、当該電子ファイルの第１領域を平行移動して第２領域を表示するステップと、
タッチスクリーン上で当該移動がもう検出されないと、当該電子ファイルの第２領域を平行移動し表示し続けるステップと、
当該平行移動し表示して、当該辺縁及び複数の表示要素を含む、当該電子ファイルの辺縁領域まで達した場合、辺縁領域中の複数の表示要素を、電子ファイルの辺縁から遠くなる方向に引伸ばす表示ステップと、
当該引伸ばし表示した後の表示要素を、引き伸ばす前の表示状態に回復するステップと
を含む。
【００１０】
本発明の実施例に係る第３の態様によると、タッチスクリーン上のファイル表示装置を提供する。
【００１１】
当該装置は、
タッチスクリーン上に、電子ファイルの辺縁及び複数の表示要素を含む、当該電子ファイルの辺縁領域を表示するための領域表示モジュールと、
タッチスクリーン上に作用する対象の移動を検出するための移動検出モジュールと、
対象の移動に応答して、複数の表示要素を辺縁から遠くなる方向に引伸ばして表示するための引伸ばし表示モジュールと
を備える。
【００１２】
本発明の実施例に係る第４の態様によると、タッチスクリーン上のファイル表示装置を提供する。
【００１３】
当該装置は、
タッチスクリーン上に電子ファイルの第１領域を表示するための領域表示モジュールと、
タッチスクリーン上に作用する対象の移動を検出するための移動検出モジュールと、
対象の移動に応答して、電子ファイルの第１領域を平行移動して第２領域を表示するための第２表示モジュールと、
タッチスクリーン上で対象がもう検出されないと、電子ファイルの第２領域を平行移動し表示し続けるための平行移動表示モジュールと、
平行移動し表示して、辺縁及び複数の表示要素を含む、当該電子ファイルの辺縁領域まで達すると、辺縁領域中の複数の表示要素を、電子ファイルの辺縁から遠くなる方向に引伸ばして表示するための引伸ばし表示モジュールと、
引伸ばし表示した後の表示要素を、引き伸ばす前の表示状態に回復するための回復表示モジュールと
を備える。
【００１４】
本発明の実施例に係る第５の態様によると、タッチスクリーン上のファイル表示装置を提供する。
【００１５】
当該装置は、
プロセッサと、
当該プロセッサが実行可能な命令を記憶するためのメモリと、
当該プロセッサと電気的に接続されたタッチスクリーンと
を備え、
当該プロセッサは、
タッチスクリーン上に、電子ファイルの辺縁及び複数の表示要素を含む、当該電子ファイルの辺縁領域を表示し、
タッチスクリーン上に作用する対象の移動を検出し、
当該対象の移動に応答して、複数の表示要素を辺縁から遠くなる方向に引伸ばして表示するように構成される。
【００１６】
本発明の実施例に係る第６の態様によると、タッチスクリーン上のファイル表示装置を提供する。
【００１７】
当該装置は、
プロセッサと、
当該プロセッサが実行可能な命令を記憶するためのメモリと、
当該プロセッサと電気的に接続されたタッチスクリーンと
を備え、
当該プロセッサは、
タッチスクリーン上に電子ファイルの第１領域を表示し、
タッチスクリーン上に作用する対象の移動を検出し、
当該対象の移動に応答して、電子ファイルの第１領域を平行移動して第２領域を表示し、
タッチスクリーン上で対象がもう検出されないと、電子ファイルの第２領域を平行移動し表示し続け、
平行移動し表示して、辺縁及び複数の表示要素を含む、当該電子ファイルの辺縁領域までに達すると、辺縁領域中の複数の表示要素を、電子ファイルの辺縁から遠くなる方向に引伸ばして表示し、
引伸ばし表示した後の表示要素を、引き伸ばす前の表示状態に回復するように構成される。
本発明の実施例の第７の態様によると、プログラムを提供し、当該プログラムは、プロセッサに実行されることにより、上記のタッチスクリーン上のファイル表示方法を実現する。
本発明の実施例の第８の態様によると、記録媒体を提供し、当該記録媒体には、上記プログラムが記録されている。
【発明の効果】
【００１８】
本発明の実施例が提供する構成の有益な効果は以下のとおりである。
【００１９】
既に電子ファイルの辺縁領域まで表示した際に、複数の表示要素を電子ファイルの辺縁から遠くなる方向に引伸ばして表示して、ユーザの平行移動操作に対する応答とすることにより、ユーザに、既に電子ファイルの辺縁まで表示されたことを明確に通知できて、ユーザの実際に操作意味がない平行移動操作の繰り返し実行を避けて、ユーザの操作効率を高めた。
【００２０】
以上の統括な記述と以下の細部記述は、ただ例示的なものであり、本発明を制限するものではないと、理解するべきである。
【図面の簡単な説明】
【００２１】
ここでの図面は、明細書に合併されて本明細書の一部を構成して本発明に合致する実施例を示し、明細書とともに本発明の原理を説明するのに用いられる。
【図１】例示的な一実施例に係るタッチスクリーン上のファイル表示方法を示すフローチャートである。
【図２Ａ】例示的な別の一実施例に係るタッチスクリーン上のファイル表示方法を示すフローチャートである。
【図２Ｂ】図２Ａの例示的な実施例を実施する際のインターフェイスを示す模式図である。
【図２Ｃ】図２Ａの例示的な実施例を実施する際のインターフェイスを示す模式図である。
【図２Ｄ】図２Ａの例示的な実施例を実施する際のインターフェイスを示す模式図である。
【図２Ｅ】図２Ａの例示的な実施例を実施する際のインターフェイスを示す模式図である。
【図３Ａ】例示的な別の一実施例に係るタッチスクリーン上のファイル表示方法を示すフローチャートである。
【図３Ｂ】図３Ａの例示的な実施例を実施する際のインターフェイスを示す模式図である。
【図３Ｃ】図３Ａの例示的な実施例を実施する際のインターフェイスを示す模式図である。
【図３Ｄ】図３Ａの例示的な実施例を実施する際のインターフェイスを示す模式図である。
【図３Ｅ】図３Ａの例示的な実施例を実施する際のインターフェイスを示す模式図である。
【図４Ａ】例示的な別の一実施例に係るタッチスクリーン上のファイル表示方法を示すフローチャートである。
【図４Ｂ】図４Ａの例示的な実施例を実施する際のインターフェイスを示す模式図である。
【図４Ｃ】図４Ａの例示的な実施例を実施する際のインターフェイスを示す模式図である。
【図４Ｄ】図４Ａの例示的な実施例を実施する際のインターフェイスを示す模式図である。
【図５Ａ】例示的な別の一実施例に係るタッチスクリーン上のファイル表示方法を示すフローチャートである。
【図５Ｂ】図５Ａの例示的な実施例を実施する際のインターフェイスを示す模式図である。
【図５Ｃ】図５Ａの例示的な実施例を実施する際のインターフェイスを示す模式図である。
【図５Ｄ】図５Ａの例示的な実施例を実施する際のインターフェイスを示す模式図である。
【図６Ａ】例示的な別の一実施例に係るタッチスクリーン上のファイル表示方法を示すフローチャートである。
【図６Ｂ】図６Ａの例示的な実施例を実施する際のインターフェイスを示す模式図である。
【図６Ｃ】図６Ａの例示的な実施例を実施する際のインターフェイスを示す模式図である。
【図７Ａ】例示的な別の一実施例に係るタッチスクリーン上のファイル表示方法を示すフローチャートである。
【図７Ｂ】図７Ａの例示的な実施例を実施する際のインターフェイスを示す模式図である。
【図８Ａ】例示的な別の一実施例に係るタッチスクリーン上のファイル表示方法を示すフローチャートである。
【図８Ｂ】図８Ａの例示的な実施例を実施する際のインターフェイスを示す模式図である。
【図９Ａ】例示的な別の一実施例に係るタッチスクリーン上のファイル表示方法を示すフローチャートである。
【図９Ｂ】図９Ａの例示的な実施例を実施する際のインターフェイスを示す模式図である。
【図１０Ａ】例示的な別の一実施例に係るタッチスクリーン上のファイル表示方法を示すフローチャートである。
【図１０Ｂ】図１０Ａの例示的な実施例を実施する際のインターフェイスを示す模式図である。
【図１０Ｃ】図１０Ａの例示的な実施例を実施する際のインターフェイスを示す模式図である。
【図１０Ｄ】図１０Ａの例示的な実施例を実施する際のインターフェイスを示す模式図である。
【図１１Ａ】例示的な別の一実施例に係るタッチスクリーン上のファイル表示方法を示すフローチャートである。
【図１１Ｂ】図１１Ａの例示的な実施例を実施する際のインターフェイスを示す模式図である。
【図１２Ａ】例示的な別の一実施例に係るタッチスクリーン上のファイル表示方法を示すフローチャートである。
【図１２Ｂ】図１２Ａの例示的な実施例を実施する際のインターフェイスを示す模式図である。
【図１２Ｃ】図１２Ａの例示的な実施例を実施する際のインターフェイスを示す模式図である。
【図１３】例示的な一実施例に係るタッチスクリーン上のファイル表示装置を示すブロック図である。
【図１４】例示的な別の一実施例に係るタッチスクリーン上のファイル表示装置を示すブロック図である。
【図１５】例示的な別の一実施例に係るタッチスクリーン上のファイル表示装置を示すブロック図である。
【図１６】例示的な別の一実施例に係るタッチスクリーン上のファイル表示装置を示すブロック図である。
【００２２】
以上の図面を通じて、本発明の実施例を例示しているが、そのさらに具体的な内容については後述する。これらの図面及び文字記載は、本発明の趣旨の範囲を限定するためのものではなく、特定の実施例を参照として、当業者に本発明のコンセプトを理解させるためのものである。
【発明を実施するための形態】
【００２３】
ここで、例示的な実施例を詳細に説明する。また、説明中の例は、図面に示している。以下の記述において、図面を説明する際に特に説明しない場合、異なる図面中の同一の符号は、同一或いはは同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００２４】
まず、本発明の実施例に関する複数の名詞を説明する。
【００２５】
電子ファイルとは、Ｗｅｂページ、デジタル画像、電子ファイル、スプレッドシート、アプリケーションの対話型インターフェイス、及び、ＯＳの対話型インターフェイスのサブセット或いはスーパーセットである。電子ファイルを表示するのに必要な領域は、一般的に、タッチスクリーンの一画面の表示領域（タッチスクリーンに一気に表示できる領域）より大きい。
【００２６】
表示要素とは、アイコン、プロフィール写真、画像、テキスト、セル、及び、対話型コンポーネントのサブセット或いはスーパーセットである。表示要素は、一般的に、電子ファイル中の一つのサブ領域を占有する。各表示要素同士の間は、緊密に隣接されてもよいし、互いに離隔されてもよい。
【００２７】
辺縁領域とは、電子ファイルの一部の領域である。辺縁領域の大きさは、タッチスクリーンの一画面の表示領域の大きさ以下であり、辺縁領域は電子ファイルの辺縁及び複数の表示要素を含む。
【００２８】
図１は、例示的な一実施例に係るタッチスクリーン上のファイル表示方法を示すフローチャートである。当該ファイル表示方法をタッチスクリーンを含む端末に応用する例を挙げて、本実施例を説明する。当該ファイル表示方法は、以下のステップを含んでもよい。
【００２９】
ステップ１０１において、タッチスクリーン上に、電子ファイルの辺縁及び複数の表示要素を含む、当該電子ファイルの辺縁領域を表示する。
【００３０】
ステップ１０２において、タッチスクリーン上に作用する対象の移動を検出する。
【００３１】
ステップ１０３において、当該対象の移動に応答して、複数の表示要素を当該辺縁から遠くなる方向に引伸ばして表示する。
【００３２】
上記のように、本実施例によって提供するファイル表示方法によると、既に電子ファイルの辺縁領域まで表示した際に、複数の表示要素を電子ファイルの辺縁から遠くなる方向に引伸ばして表示して、ユーザの平行移動操作に対する応答とすることにより、ユーザに、既に電子ファイルの辺縁まで表示されたことを明確に通知できて、ユーザの実際に操作意味がない平行移動操作の繰り返し実行を避けて、ユーザの操作効率を高めた。
【００３３】
図２Ａは、例示的な別の一実施例に係るタッチスクリーン上のファイル表示方法を示すフローチャートである。当該ファイル表示方法をタッチスクリーンを含む端末に応用する例を挙げて、本実施例を説明する。当該ファイル表示方法は、以下のステップを含んでもよい。
【００３４】
ステップ２０１において、タッチスクリーン上に、電子ファイルの辺縁及び複数の表示要素を含む、当該電子ファイルの辺縁領域を表示する。
【００３５】
電子ファイルの辺縁は、タッチスクリーンの表示領域の辺縁と重ね合わされてもよく、タッチスクリーンの表示領域中に明確に表示されないでもよい。
【００３６】
ステップ２０２において、タッチスクリーン上に作用する対象の移動を検出する。
【００３７】
当該対象は、ユーザの指、タッチペン、或いは、タッチスクリーンにより検出できる他の制御対象であってもよい。
【００３８】
タッチスクリーンにフローティングタッチ機能がない場合、当該対象はタッチスクリーン上で直接移動する。
【００３９】
タッチスクリーンにフローティングタッチ機能がある場合、当該対象はタッチスクリーン上で直接移動するか、或いは、タッチスクリーン上で一定の間隔をあけて移動する。
【００４０】
端末は、当該対象が移動すると、タッチスクリーンによって当該対象の移動を検出する。当該移動は、平行移動であってもよい。例えば、当該移動は、辺縁領域中の一つの辺縁から遠くなる移動であってもよい。
【００４１】
ステップ２０３において、当該対象の移動に応答して、当該辺縁領域中の全部の表示要素を、当該辺縁から遠くなる方向に引伸ばして表示する。
【００４２】
端末は、当該対象の移動に対する応答として、当該辺縁領域中の全部の表示要素を、当該辺縁から遠くなる方向に引伸ばして表示する。引伸ばし表示とは、表示要素を、当該辺縁から遠くなる方向に沿って拡大する一種の表示方法である。当該辺縁は、対象の移動によって遠くなる辺縁である。
【００４３】
ここで、各々の表示要素に対する引伸ばし比率は、それぞれ、同一であってもよい。或いは、各々の表示要素に対する引伸ばし比率と、表示要素と辺縁との間の距離である第１距離とは、正の相関関係を有する。
【００４４】
例として、図２Ｂを参考すると、電子ファイルは、フォトギャラリー・アプリケーションの対話型インターフェイス２２である。当該対話型インターフェイス２２は、６行３列に順に配列した１８個のサムネイルを含み、当該１８個のサムネイルの通し番号は１から１８までである。しかし、タッチスクリーン２３の表示領域がより小さいため、対話型インターフェイス２２の辺縁領域２２ａしか表示できない。当該辺縁領域２２ａは、対話型インターフェイス２２の上方辺縁２６、及び、４行３列に順に配列された、通し番号が１から１２までのサムネイルを含む。ここで、対話型インターフェイス２２の上方辺縁２６とタッチスクリーン２３の上方辺縁は重ね合うが、図２Ｂでは明確に示していない。
【００４５】
続いて、図２Ｃと図２Ｄを参考すると、対象がユーザの指である例を挙げると、端末は、指がタッチスクリーン２３上で下方向に沿って移動すると、タッチスクリーン２３を通じて指の移動を検出する。端末は、当該指の移動に応答して、辺縁領域２２ａ中の１２個のサムネイルを、上方辺縁２６から遠くなる方向に引伸ばして表示する。引き伸ばした後のサムネイルの幅は変更されないが、高さは引き伸ばされる。同時に、最下方の１行のサムネイル１０、サムネイル１１及びサムネイル１２の一部は、平行移動によってタッチスクリーン２３の表示領域から外されて、表示されない。引伸ばし表示した各２行のサムネイル同士の間の間隔は、一般的に、そのまま維持されるか、或いは、当該間隔も引伸ばし表示される。
【００４６】
ここで、図２Ｃに示した例において、各サムネイルに対する引伸ばし比率は、同一である。つまり、各サムネイルの引き伸ばされた後の高さは、互いに同一である。当該引伸ばし比率と指の移動距離は、正の相関関係を有し、つまり、タッチスクリーン２３上の指の移動距離が長いほど、当該引伸ばし比率も大きくなり、タッチスクリーン２３上の指の移動距離が短いほど、当該引伸ばし比率も小さくなる。
【００４７】
図２Ｄに示した例において、各サムネイルの引伸ばし比率は、互いに異なる。各々のサムネイルの引伸ばし比率は第１距離と正の相関関係を有し、ここで、当該第１距離はサムネイルと上方辺縁２６との間の距離である。つまり、引伸ばし表示するサムネイルと上方辺縁２６との距離が大きいほど、引伸ばし比率も大きくなり、引伸ばし表示するサムネイルと上方辺縁２６との距離が小さいほど、引伸ばし比率も小さくなる。例えば、サムネイル７、サムネイル８及びサムネイル９には第１引伸ばし比率を適用し、サムネイル４、サムネイル５及びサムネイル６には第２引伸ばし比率を適用すると、第１引伸ばし比率は、第２引伸ばし比率より大きい。
【００４８】
ステップ２０４において、タッチスクリーン上で対象がもう検出されないと、引伸ばし表示した後の表示要素を、引き伸ばす前の表示状態に回復する。
【００４９】
端末は、タッチスクリーンにより対象がもう検出されないと、引伸ばし表示した後の表示要素を、引き伸ばす前の表示状態に回復する。当該回復過程を、ステップ２０３の逆の過程と見なしてもよい。しかし、ステップ２０３と異なるのは、ステップ２０３の引き伸ばす過程は、対象の移動に従う過程であるが、ステップ２０４中の回復過程は、予め設定した速度に実行するか、或いは、予め設定した期間内に実行する。
【００５０】
言い換えれば、端末は、予め設定した速度によって、引伸ばし表示した後の表示要素を、引き伸ばす前の表示状態に回復してもよい。当該予め設定した速度は、一定の速度、一定の減速度、一定の加速度、引き伸ばす時の速度と正の相関関係を有する速度、等であってもよく、本実施例においては、当該予め設定した速度に対して限定しない。
【００５１】
或いは、端末は、予め設定した期間内に引伸ばして表示した後の表示要素を、引き伸ばす前の表示状態に回復してもよい。当該予め設定した期間は、０．２ｓであってもよい。
【００５２】
例として、図２Ｅに示したように、端末は、タッチスクリーン２３上で指がもう検出されないと、０．２ｓ内に、引伸ばし表示した後の１２個のサムネイルを、引き伸ばす前の表示状態に回復する。
【００５３】
端末は、上記の引伸ばし表示過程、及び、回復表示過程において、電子ファイルの辺縁の表示状態をそのまま維持していることを、理解する必要がある。
【００５４】
ステップ２０４の別の一ケースとして、タッチスクリーン上で依然として対象が検出されるが、当該対象が静止状態をそのまま維持したままもう移動しないと、端末は、現在の表示状態をそのまま維持する。
【００５５】
上記のように、本実施例によって提供するファイル表示方法によると、既に電子ファイルの辺縁領域まで表示した際に、複数の表示要素を電子ファイルの辺縁から遠くなる方向に引伸ばして表示して、ユーザの平行移動操作に対する応答とすることにより、ユーザに、既に電子ファイルの辺縁まで表示されたことを明確に通知できて、ユーザの実際に操作意味がない平行移動操作の繰り返し実行を避けて、ユーザの操作効率を高めた。
【００５６】
本実施例によって提供するファイル表示方法によると、さらに、引伸ばし表示した後の表示要素を、引き伸ばす前の表示状態に回復することにより、ユーザに既に電子ファイルの辺縁まで表示されたことを明確に通知した後に引き伸ばす前の表示状態に回復させることにより、ユーザの他の操作の実行を便利にした。
【００５７】
図３Ａは、例示的な別の一実施例に係るタッチスクリーン上のファイル表示方法を示すフローチャートである。当該ファイル表示方法をタッチスクリーンを含む端末に応用する例を挙げて、本実施例を説明する。当該ファイル表示方法は、以下のステップを含んでもよい。
【００５８】
ステップ３０１において、当該タッチスクリーン上に、当該電子ファイルの辺縁及び複数の表示要素を含む、当該電子ファイルの辺縁領域を表示する。
【００５９】
電子ファイルの辺縁は、タッチスクリーンの表示領域の辺縁と重ね合わされてもよく、タッチスクリーンの表示領域中に明確に表示されないでもよい。
【００６０】
ステップ３０２において、当該タッチスクリーン上に作用する対象の移動を検出する。
【００６１】
当該対象は、ユーザの指、タッチペン、或いは、タッチスクリーンにより検出できる他の制御対象であってもよい。
【００６２】
タッチスクリーンにフローティングタッチ機能がない場合、当該対象はタッチスクリーン上で直接移動する。
【００６３】
タッチスクリーンにフローティングタッチ機能がある場合、当該対象はタッチスクリーン上で直接移動するか、或いは、タッチスクリーン上で一定の間隔をあけて移動する。
【００６４】
端末は、当該対象が移動すると、タッチスクリーンによって当該対象の移動を検出する。当該移動は、平行移動であってもよい。例えば、当該移動は、辺縁領域中の一つの辺縁から遠くなる移動であってもよい。
【００６５】
ステップ３０３において、当該対象の移動に応答して、当該辺縁から最も近いｎ（ｎは正の整数である）行の表示要素の表示状態をそのまま維持し、当該辺縁から最も近いｎ行の表示要素以外の他の行の表示要素を、当該辺縁から遠くなる方向に引伸ばして表示する。
【００６６】
引伸ばし表示とは、表示要素を、当該辺縁から遠くなる方向に沿って拡大する一種の表示方法であり、当該辺縁は、対象の移動によって遠くなる辺縁である。
【００６７】
ここで、各々の表示要素に対する引伸ばし比率は、それぞれ、同一であってもよい。或いは、各々の表示要素に対する引伸ばし比率と、表示要素と辺縁との間の距離である第１距離とは、正の相関関係を有する。
【００６８】
例として、図３Ｂを参考すると、電子ファイルは、連絡帳・アプリケーションの対話型インターフェイス３２である。当該対話型インターフェイス３２は、タイトル行３２２及び１０個の通話記録行を含む。しかし、タッチスクリーン３３の表示領域がより小さいため、対話型インターフェイス３２の辺縁領域３２ａしか表示できない。当該辺縁領域３２ａは、対話型インターフェイス３２の上方辺縁３６、及び、前の７個の通話記録行を含む。ここで、対話型インターフェイス３２の上方辺縁２６とタッチスクリーン２３の上方辺縁は重ね合うが、図３Ｂでは明確に示していない。
【００６９】
続いて、図３Ｃと図３Ｄを参考すると、対象がユーザの指である例を挙げると、端末は、指がタッチスクリーン３３上で下方向に沿って移動すると、タッチスクリーン３３を通じて指の移動を検出する。端末は、当該指の移動に応答して、上方辺縁３６から最も近い１行の表示要素である、タイトル行３２２の表示状態をそのまま維持し、辺縁領域３２ａ中の７個の通話記録行を、上方辺縁３６から遠くなる方向に引伸ばして表示する。引き伸ばした後の通話記録行の幅はそのまま変更がないが、高さは引き伸ばされた。
【００７０】
ここで、図３Ｃに示した例において、各通話記録行の引伸ばし比率は、同一である。つまり、各通話記録行の引き伸ばされた後の高さは、互いに同一である。当該引伸ばし比率と指の移動距離は、正の相関関係を有し、つまり、タッチスクリーン３３上の指の移動距離が長いほど、当該引伸ばし比率も大きくなり、タッチスクリーン３３上の指の移動距離が短いほど、当該引伸ばし比率も小さくなる。また、最下方の１行の第７の通話記録行の一部は、平行移動によってタッチスクリーン３３の表示領域から外されて、表示されない。
【００７１】
図３Ｄに示した例において、各通話記録行の引伸ばし比率は、互いに異なっている。各々の通話記録行の引伸ばし比率は、第１距離と正の相関関係を有し、ここで、当該第１距離は、通話記録行と上方辺縁３６との間の距離である。つまり、引伸ばし表示する通話記録行と上方辺縁３６との距離が長いほど、引伸ばし比率も大きくなり、引伸ばし表示する通話記録行と上方辺縁３６との距離が小さいほど、引伸ばし比率も小さくなる。例えば、第６の通話記録行の引伸ばし比率は第５の通話記録行の引伸ばし比率より大きいし、第５の通話記録行の引伸ばし比率は第４の通話記録行の引伸ばし比率より大きいし、第４の通話記録行の引伸ばし比率は第３の通話記録行の引伸ばし比率より大きい。また、最下方の１行の第６の通話記録行の一部、及び、第７の通話記録行の全部は、平行移動によってタッチスクリーン３３の表示領域から外されて、表示されない。
ステップ３０４において、タッチスクリーン上で対象がもう検出されないと、引伸ばし表示した後の表示要素を、引き伸ばす前の表示状態に回復する。
【００７２】
端末は、タッチスクリーンにより対象がもう検出されないと、引伸ばし表示した後の表示要素を、引き伸ばす前の表示状態に回復する。当該回復過程を、ステップ３０３の逆の過程と見なしてもよい。しかし、ステップ３０３と異なるのは、ステップ３０３の引き伸ばす過程は、対象の移動に従う過程であるが、ステップ３０４中の回復過程は、予め設定した速度に実行するか、或いは、予め設定した期間内に実行する。
【００７３】
言い換えれば、端末は、予め設定した速度によって、引伸ばし表示した後の表示要素を、引き伸ばす前の表示状態に回復してもよい。当該予め設定した速度は、一定の速度、一定の減速度、一定の加速度、引き伸ばす時の速度と正の相関関係を有する速度、等であってもよく、本実施例においては、当該予め設定した速度に対して限定しない。
【００７４】
或いは、端末は、予め設定した期間内に引伸ばして表示した後の表示要素を、引き伸ばす前の表示状態に回復してもよい。当該予め設定した期間は、０．３ｓであってもよい。
【００７５】
例として、図３Ｅに示したように、端末は、タッチスクリーン３３上で指がもう検出されないと、０．３ｓ内に、引伸ばし表示した後の７個の通話記録行を、引き伸ばす前の表示状態に回復する。
【００７６】
端末は、上記の引伸ばし表示過程、及び、回復表示過程において、電子ファイルの辺縁の表示状態をそのまま維持していることを、理解する必要がある。
【００７７】
ステップ３０４の別の一ケースとして、タッチスクリーン上で依然として対象が検出されるが、当該対象が静止状態をそのまま維持したままもう移動しないと、端末は、現在の表示状態をそのまま維持する。
【００７８】
上記のように、本実施例によって提供するファイル表示方法によると、既に電子ファイルの辺縁領域まで表示した際に、複数の表示要素を電子ファイルの辺縁から遠くなる方向に引伸ばして表示して、ユーザの平行移動操作に対する応答とすることにより、ユーザに、既に電子ファイルの辺縁まで表示されたことを明確に通知できて、ユーザの実際に操作意味がない平行移動操作の繰り返し実行を避けて、ユーザの操作効率を高めた。
【００７９】
本実施例によって提供するファイル表示方法によると、さらに、引伸ばし表示した後の表示要素を、引き伸ばす前の表示状態に回復することにより、引き伸ばし表示する前へ回復した電子ファイル上で他の操作が実行できて、ユーザに電子ファイルを正常に使用するようにする。
【００８０】
図４Ａは、例示的な別の一実施例に係るタッチスクリーン上のファイル表示方法を示すフローチャートである。当該ファイル表示方法をタッチスクリーンを含む端末に応用する例を挙げて、本実施例を説明する。当該ファイル表示方法は、以下のステップを含んでもよい。
【００８１】
ステップ４０１において、タッチスクリーン上に、電子ファイルの辺縁及び複数の表示要素を含む、当該電子ファイルの辺縁領域を表示する。
【００８２】
電子ファイルの辺縁は、タッチスクリーンの表示領域の辺縁と重ね合わされてもよく、タッチスクリーンの表示領域中に明確に表示されないでもよい。
【００８３】
ステップ４０２において、当該タッチスクリーン上に作用する対象の移動を検出する。
【００８４】
当該対象は、ユーザの指、タッチペン、或いは、タッチスクリーンにより検出できる他の制御対象であってもよい。
【００８５】
タッチスクリーンにフローティングタッチ機能がない場合、当該対象はタッチスクリーン上で直接移動する。
【００８６】
タッチスクリーンにフローティングタッチ機能がある場合、当該対象はタッチスクリーン上で直接移動するか、或いは、タッチスクリーン上で一定の間隔をあけて移動する。
【００８７】
端末は、当該対象が移動すると、タッチスクリーンによって当該対象の移動を検出する。当該移動は、平行移動であってもよい。例えば、当該移動は、辺縁領域中の一つの辺縁から遠くなる移動であってもよい。
【００８８】
ステップ４０３において、当該対象の移動に応答して、当該辺縁と対象位置との間に位置する表示要素を、当該辺縁から遠くなる方向に引伸ばして表示する。
【００８９】
端末は、当該対象の移動に対する応答として、当該辺縁領域中の辺縁と対象位置との間に位置する表示要素を、当該辺縁から遠くなる方向に引伸ばして表示する。当該辺縁は、対象の移動によって遠くなる辺縁である。
【００９０】
引伸ばし表示とは、表示要素を、当該辺縁から遠くなる方向に沿って拡大する一種の表示方法である。ここで、対象位置とは、タッチスクリーン上における対象に対応する作業位置である。
【００９１】
ここで、各々の表示要素に対する引伸ばし比率は、それぞれ、同一であってもよい。或いは、各々の表示要素に対する引伸ばし比率と、表示要素と辺縁との間の距離である第１距離とは、正の相関関係を有する。
【００９２】
例として、図４Ｂと図４Ｃを参考すると、電子ファイルがフォトギャラリー・アプリケーションの対話型インターフェイス２２であり、対象がユーザの指である例を挙げる。端末は、指がタッチスクリーン２３上で下方向に沿って移動すると、タッチスクリーン２３を通じて指の移動を検出する。端末は、当該指の移動に応答して、辺縁領域２２ａ中の指の位置と上方辺縁２６との間に位置する６個のサムネイルを、上方辺縁２６から遠くなる方向に引伸ばして表示する。引き伸ばした後のサムネイルの幅は変更されないが、高さは引き伸ばされる。引伸ばし表示した各２行のサムネイル同士の間の間隔は、一般的に、そのまま維持されるか、或いは、当該間隔も引伸ばし表示される。
【００９３】
ここで、指の位置の他方に位置するサムネイル７からサムネイル１２は、引伸ばし表示しない。同時に、最下方の１行のサムネイル１０、サムネイル１１及びサムネイル１２の一部は、平行移動によって、タッチスクリーン２３の表示領域から外されて、表示されない。
【００９４】
図４Ｂに示した例において、引伸ばし表示する各サムネイルに対する引伸ばし比率は、同一である。つまり、各サムネイルを引き伸ばした後の高さは、互いに同一である。当該引伸ばし比率と指の移動距離は、正の相関関係を有し、つまり、タッチスクリーン２３上の指の移動距離が長いほど、当該引伸ばし比率も大きくなり、タッチスクリーン２３上の指の移動距離が短いほど、当該引伸ばし比率も小さくなる。
【００９５】
図４Ｃに示した例において、引伸ばし表示する各サムネイルの引伸ばし比率は、互いに異なる。各々のサムネイルの引伸ばし比率は第１距離と正の相関関係を有し、当該第１距離はサムネイルと上方辺縁２６との間の距離である。つまり、引伸ばし表示するサムネイルと上方辺縁２６との距離が大きいほど、引伸ばし比率も大きくなり、引伸ばし表示するサムネイルと上方辺縁２６との距離が小さいほど、引伸ばし比率も小さくなる。例えば、サムネイル４、サムネイル５及びサムネイル６には第１引伸ばし比率を適用し、サムネイル１、サムネイル２及びサムネイル３には第２引伸ばし比率を適用すると、第１引伸ばし比率は第２引伸ばし比率より大きい。
【００９６】
ステップ４０４において、タッチスクリーン上で対象がもう検出されないと、引伸ばし表示した後の表示要素を、引き伸ばす前の表示状態に回復する。
【００９７】
端末は、タッチスクリーンにより対象がもう検出されないと、引伸ばし表示した後の表示要素を、引き伸ばす前の表示状態に回復する。当該回復過程を、ステップ４０３の逆の過程と見なしてもよい。しかし、しかし、ステップ４０３と異なるのは、ステップ４０３の引き伸ばす過程は、対象の移動に従う過程であるが、ステップ４０４中の回復過程は、予め設定した速度に実行するか、或いは、予め設定した期間内に実行する。
【００９８】
言い換えれば、端末は、予め設定した速度によって、引伸ばし表示した後の表示要素を、引き伸ばす前の表示状態に回復してもよい。当該予め設定した速度は、一定の速度、一定の減速度、一定の加速度、引き伸ばす時の速度と正の相関関係を有する速度、等であってもよく、本実施例においては、当該予め設定した速度に対して限定しない。
【００９９】
或いは、端末は、予め設定した期間内に引伸ばして表示した後の表示要素を、引き伸ばす前の表示状態に回復してもよい。当該予め設定した期間は、０．４ｓであってもよい。
【０１００】
例として、図４Ｄに示したように、端末は、タッチスクリーン２３上で指がもう検出されないと、０．４ｓ内に、引伸ばし表示した後の６個のサムネイルを、引き伸ばす前の表示状態に回復する。
【０１０１】
端末は、上記の引伸ばし表示過程、及び、回復表示過程において、電子ファイルの辺縁の表示状態をそのまま維持していることを、理解する必要がある。
【０１０２】
ステップ４０４の別の一ケースとして、タッチスクリーン上で依然として対象が検出されるが、当該対象が静止状態をそのまま維持したままもう移動しないと、端末は、現在の表示状態をそのまま維持する。
【０１０３】
上記のように、本実施例によって提供するファイル表示方法によると、既に電子ファイルの辺縁領域まで表示した際に、複数の表示要素を電子ファイルの辺縁から遠くなる方向に引伸ばして表示して、ユーザの平行移動操作に対する応答とすることにより、ユーザに、既に電子ファイルの辺縁まで表示されたことを明確に通知できて、ユーザの実際に操作意味がない平行移動操作の繰り返し実行を避けて、ユーザの操作効率を高めた。
【０１０４】
本実施例によって提供するファイル表示方法によると、さらに、引伸ばし表示した後の表示要素を、引き伸ばす前の表示状態に回復することにより、ユーザに既に電子ファイルの辺縁まで表示されたことを明確に通知した後に引き伸ばす前の表示状態に回復させることにより、ユーザの他の操作の実行を便利にした。
【０１０５】
図５Ａは、例示的な別の一実施例に係るタッチスクリーン上のファイル表示方法を示すフローチャートである。当該ファイル表示方法をタッチスクリーンを含む端末に応用する例を挙げて、本実施例を説明する。当該ファイル表示方法は、以下のステップを含んでもよい。
【０１０６】
ステップ５０１において、タッチスクリーン上に、電子ファイルの辺縁及び複数の表示要素を含む、当該電子ファイルの辺縁領域を表示する。
【０１０７】
電子ファイルの辺縁は、タッチスクリーンの表示領域の辺縁と重ね合わされてもよく、タッチスクリーンの表示領域中に明確に表示されないでもよい。
【０１０８】
ステップ５０２において、タッチスクリーン上に作用する対象の移動を検出する。
【０１０９】
当該対象は、ユーザの指、タッチペン、或いは、タッチスクリーンにより検出できる他の制御対象であってもよい。
【０１１０】
タッチスクリーンにフローティングタッチ機能がない場合、当該対象はタッチスクリーン上で直接移動する。
【０１１１】
タッチスクリーンにフローティングタッチ機能がある場合、当該対象はタッチスクリーン上で直接移動するか、或いは、タッチスクリーン上で一定の間隔をあけて移動する。
【０１１２】
端末は、当該対象が移動すると、タッチスクリーンによって当該対象の移動を検出する。当該移動は、平行移動であってもよい。例えば、当該移動は、辺縁領域中の一つの辺縁から遠くなる移動であってもよい。
【０１１３】
ステップ５０３において、当該移動に応答して、当該辺縁と対象位置との間に位置する表示要素の中の、当該辺縁から最も近いｎ（ｎは正の整数である）行の表示要素以外の他の行の表示要素を、当該辺縁から遠くなる方向に引伸ばして表示する。
【０１１４】
引伸ばし表示とは、表示要素を、当該辺縁から遠くなる方向に沿って拡大する一種の表示方法である。当該辺縁は、対象の移動によって遠くなる辺縁である。
【０１１５】
ここで、各々の表示要素に対する引伸ばし比率は、それぞれ、同一であってもよい。或いは、各々の表示要素に対する引伸ばし比率と、表示要素と辺縁との間の距離である第１距離とは、正の相関関係を有する。
【０１１６】
例として、図５Ｂと図５Ｃを参考すると、電子ファイルが連絡帳・アプリケーションの対話型インターフェイス３２であり、対象がユーザの指であり、ｎ=１であり例を挙げる。端末は、指がタッチスクリーン３３上で下方向に沿って移動すると、タッチスクリーン３３を通じて指の移動を検出する。端末は、当該指の移動に応答して、上方辺縁３６と指の位置との間に位置する表示要素の中から、上方辺縁３６から最も近い１行の表示要素である、タイトル行３２２の表示状態をそのまま維持し、第１から第４の通話記録行を、上方辺縁３６から遠くなる方向に引伸ばして表示する。引き伸ばした後の通話記録行の幅はそのまま変更がないが、高さは引き伸ばされた。
【０１１７】
ここで、図５Ｂに示した例において、第１から第４の通話記録行の引伸ばし比率は、同一である。つまり、各通話記録行の引き伸ばされた後の高さは、互いに同一である。当該引伸ばし比率と指の移動距離は、正の相関関係を有し、つまり、タッチスクリーン３３上の指の移動距離が長いほど、当該引伸ばし比率も大きくなり、タッチスクリーン３３上の指の移動距離が短いほど、当該引伸ばし比率も小さくなる。また、第６の通話記録行の一部、及び、第７の通話記録行の全部は、平行移動によって、タッチスクリーン３３の表示領域から外されて、表示されない。
図５Ｃに示した例において、各通話記録行の引伸ばし比率は、互いに異なっている各々の通話記録行の引伸ばし比率は、第１距離と正の相関関係を有し、ここで、当該第１距離は、通話記録行と上方辺縁３６との間の距離である。つまり、引伸ばし表示する通話記録行と上方辺縁３６との距離が長いほど、引伸ばし比率も大きくなり、引伸ばし表示する通話記録行と上方辺縁３６との距離が小さいほど、引伸ばし比率も小さくなる。例えば、第４の通話記録行の引伸ばし比率は第３の通話記録行の引伸ばし比率より大きいし、第３の通話記録行の引伸ばし比率は第２の通話記録行の引伸ばし比率より大きいし、第２の通話記録行の引伸ばし比率は第１の通話記録行の引伸ばし比率より大きい。また、最下方の１行の第６の通話記録行の一部、及び、第７個の通話記録行の全部は、平行移動によって、タッチスクリーン３３の表示領域から外されて、表示されない。
ステップ５０４において、タッチスクリーン上で対象がもう検出されないと、引伸ばし表示した後の表示要素を、引き伸ばす前の表示状態に回復する。
【０１１８】
端末は、タッチスクリーンにより対象がもう検出されないと、引伸ばし表示した後の表示要素を、引き伸ばす前の表示状態に回復する。当該回復過程を、ステップ５０３の逆の過程と見なしてもよい。しかし、ステップ５０３と異なるのは、ステップ５０３の引き伸ばす過程は、対象の移動に従う過程であるが、ステップ５０４中の回復過程は、予め設定した速度に実行するか、或いは、予め設定した期間内に実行する。
【０１１９】
言い換えれば、端末は、予め設定した速度によって、引伸ばし表示した後の表示要素を、引き伸ばす前の表示状態に回復してもよい。当該予め設定した速度は、一定の速度、一定の減速度、一定の加速度、引き伸ばす時の速度と正の相関関係を有する速度、等であってもよく、本実施例においては、当該予め設定した速度に対して限定しない。
【０１２０】
或いは、端末は、予め設定した期間内に引伸ばして表示した後の表示要素を、引き伸ばす前の表示状態に回復してもよい。当該予め設定した期間は、０．４ｓであってもよい。
【０１２１】
例として、図５Ｄに示したように、端末は、タッチスクリーン上３３で指がもう検出されないと、０．４ｓ内に、引伸ばし表示した後の７個の通話記録行を、引き伸ばす前の表示状態に回復する。
【０１２２】
端末は、上記の引伸ばし表示過程、及び、回復表示過程において、電子ファイルの辺縁の表示状態をそのまま維持していることを、理解する必要がある。
【０１２３】
ステップ５０４の別の一ケースとして、タッチスクリーン上で依然として対象が検出されるが、当該対象が静止状態をそのまま維持したままもう移動しないと、端末は、現在の表示状態をそのまま維持する。
【０１２４】
上記のように、本実施例によって提供するファイル表示方法によると、既に電子ファイルの辺縁領域まで表示した際に、複数の表示要素を電子ファイルの辺縁から遠くなる方向に引伸ばして表示して、ユーザの平行移動操作に対する応答とすることにより、ユーザに、既に電子ファイルの辺縁まで表示されたことを明確に通知できて、ユーザの実際に操作意味がない平行移動操作の繰り返し実行を避けて、ユーザの操作効率を高めた。
【０１２５】
本実施例によって提供するファイル表示方法によると、さらに、引伸ばし表示した後の表示要素を、引き伸ばす前の表示状態に回復することにより、ユーザに既に電子ファイルの辺縁まで表示されたことを明確に通知した後に引き伸ばす前の表示状態に回復させることにより、ユーザの他の操作の実行を便利にした。
【０１２６】
図６Ａは、例示的な別の一実施例に係るタッチスクリーン上のファイル表示方法を示すフローチャートである。当該ファイル表示方法をタッチスクリーンを含む端末に応用する例を挙げて、本実施例を説明する。当該ファイル表示方法は、以下のステップを含んでもよい。
【０１２７】
ステップ６０１において、タッチスクリーン上に、電子ファイルの辺縁及び複数の表示要素を含む、当該電子ファイルの辺縁領域を表示する。
【０１２８】
ステップ６０２において、タッチスクリーン上に作用する対象の移動を検出する。
【０１２９】
当該移動は、辺縁領域中の一つの辺縁から遠くなる移動であってもよい。
【０１３０】
ステップ６０３において、当該対象の移動に応答して、複数の表示要素を当該辺縁から遠くなる方向に引伸ばして表示する。
【０１３１】
ステップ６０３は、ステップ２０３、ステップ３０３、ステップ４０３、及び、ステップ５０３の中のいずれか一ステップを採用して実現してもよい。
【０１３２】
ステップ６０４において、タッチスクリーン上で対象がもう検出されないと、第１所定期間内に、複数の表示要素を引伸ばし表示し続ける。
【０１３３】
引伸ばし表示する過程において、引き伸ばす速度は、対象の移動速度と関連関係を有する。
【０１３４】
端末は、タッチスクリーン上で対象の移動がもう検出されないと、第１所定期間内に、複数の表示要素を引伸ばし表示し続ける。当該第１所定期間は、０．２ｓであってもよい。
【０１３５】
例として、図６Ｂを参考して、電子ファイルがフォトギャラリー・アプリケーションの対話型インターフェイスであり、対象がユーザの指である例を挙げると、端末は、指がタッチスクリーン２３上で下方向に沿って移動すると、タッチスクリーン２３を通じて指の移動を検出する。端末は、当該指の移動に応答して、辺縁領域２２ａ中の指の位置と上方辺縁２６との間に位置する６個のサムネイルを、上方辺縁２６から遠くなる方向に引伸ばして表示する。端末は、タッチスクリーン２３上で指が検出されないと、０．２ｓ内に、６個のサムネイルを、上方辺縁２６から遠くなる方向に引伸ばして表示し続ける。
【０１３６】
ステップ６０５において、第２所定期間内に、引伸ばし表示した後の表示要素を、引き伸ばす前の表示状態に回復する。
【０１３７】
端末は、引伸ばし表示を中止した後に、第２所定期間内に、引伸ばし表示した後の表示要素を、引き伸ばす前の表示状態に回復してもよい。第２所定期間は、０．４ｓであってもよい。
【０１３８】
例として、図６Ｃを参考すると、端末は、０．２ｓ内に、６個のサムネイルを、上方辺縁２６から遠くなる方向に引伸ばして表示し続けた後に、０．４ｓ内に、引伸ばし表示した後の６個のサムネイル引き伸ばす前の表示状態に回復する。
【０１３９】
ステップ６０４の別の一ケースとして、タッチスクリーン上で依然として対象が検出されるが、当該対象が静止状態をそのまま維持したままもう移動しないと、端末は、現在の表示状態をそのまま維持する。
【０１４０】
上記のように、本実施例によって提供するファイル表示方法によると、さらに、対象がもう検出されないと、複数の表示要素を引伸ばし表示し続けることにより、ユーザに、ユーザの指がタッチスクリーンから離れた後に、指の遮蔽が無い状況で引伸ばし表示された表示要素をもっとはっきり見ることができて、既に電子ファイルの辺縁まで表示されたことをさらに明確に了解するようにする。
【０１４１】
端末は、ステップ６０４の前に、以下のステップをさらに含んでもよいことを補足して理解する必要がある。
【０１４２】
第１、タッチスクリーン上で対象がもう検出されない前に、対象の移動速度が予め設定した閾値以上であるか否かを検出する。
【０１４３】
第２、予め設定した閾値以上であると、ステップ６０４を実行する。
【０１４４】
第３、予め設定した閾値以上でないと、ステップ５０４を実行する。
【０１４５】
図７Ａは、例示的な別の一実施例に係るタッチスクリーン上のファイル表示方法を示すフローチャートである。当該ファイル表示方法をタッチスクリーンを含む端末に応用する例を挙げて、本実施例を説明する。当該ファイル表示方法は、以下のステップを含んでもよい。
【０１４６】
ステップ７０１において、タッチスクリーン上に、電子ファイルの辺縁及び複数の表示要素を含む、当該電子ファイルの辺縁領域を表示する。
【０１４７】
ステップ７０２において、タッチスクリーン上に作用する対象の移動を検出する。
【０１４８】
当該移動は、辺縁領域中の一つの辺縁から遠くなる移動であってもよい。
【０１４９】
ステップ７０３において、対象の移動に応答して、複数の表示要素を当該辺縁から遠くなる方向に引伸ばして表示する。
【０１５０】
ステップ７０３は、ステップ２０３、ステップ３０３、ステップ４０３、及び、ステップ５０３の中のいずれか一ステップを採用して実現してもよい。
【０１５１】
ステップ７０４において、タッチスクリーン上で対象がもう検出されないと、引伸ばし表示した後の表示要素を、少なくとも１回弾性的に伸び縮み表示してから、引き伸ばす前の表示状態に回復する。
【０１５２】
１回の弾性的な伸び縮み表示は、縮み表示と引伸ばし表示から構成された連続的な動画表示効果である。端末は、引伸ばし表示した後の表示要素を、１回弾性的に伸び縮み表示してから、引き伸ばす前の表示状態に回復してもよい。端末は、さらに、引伸ばし表示した後の表示要素を、何回も弾性的に伸び縮み表示してから、引き伸ばす前の表示状態に回復してもよい。隣接する２回の弾性的な伸び縮み表示同士の間に、前の弾性的な伸び縮み表示に採用する縮み比率は、後の弾性的な伸び縮み表示に採用する縮み比率より大きい。
【０１５３】
端末により弾性的な伸び縮み表示を１回実行する例を挙げると、図７Ｂに示したように、端末は、タッチスクリーン上３３で指がもう検出されないと、０．２ｓ内に、引伸ばし表示した後の７個の通話記録行を、縮み表示し、ここで、縮み表示した後の通話記録行の幅はそのまま変更されないが、高さはオリジナルの高さより小さくなる。その後、端末は、０．４ｓ内に、縮み表示した後の７個の通話記録行を、引伸ばし表示して、対象の移動につれて引伸ばし表示する前の表示状態に回復し、即ち、オリジナルの表示状態に回復する。ユーザの視角から見ると、７個の通話記録行は、指を離した後に、１回弾性的に伸び縮み表示された後に、オリジナルの表示状態に回復される。
【０１５４】
当然ながら、端末は、さらに、複数回、弾性的に伸び縮み表示した後に、表示要素をオリジナルの表示状態に回復してもよい。
【０１５５】
弾性的に伸び縮み表示する回数、及び、毎回弾性的に伸び縮み表示する時の伸び縮み比率によって、弾性的に伸び縮み表示する表示効果も互いに異なり、本明細書では詳しく説明しないが、当該弾性的に伸び縮み表示する方法を限定しないことを理解する必要がある。
【０１５６】
上記の複数の実施例において、端末により電子ファイルの辺縁領域を表示する方法は、初期に電子ファイルの辺縁領域を表示する方法であってもよく、平行移動する過程に電子ファイルの辺縁領域を表示する方法であってもよい。以下、三つの実施例を説明する。
【０１５７】
第１の実現方法：
図８Ａは、例示的な別の一実施例に係るタッチスクリーン上のファイル表示方法を示すフローチャートである。当該ファイル表示方法をタッチスクリーンを含む端末に応用する例を挙げて、本実施例を説明する。当該ファイル表示方法は、以下のステップを含んでもよい。
【０１５８】
ステップ８０１において、電子ファイルを開くための第１信号に応答して、タッチスクリーン上に、電子ファイルの辺縁及び複数の表示要素を含む、当該電子ファイルの辺縁領域を表示する。
【０１５９】
端末は、あるユーザインターフェイスを表示しようとする場合、ユーザがトリガした電子ファイルを開くための第１信号を受信してもよく、ここで、当該第１信号は、電子ファイルに対応するショートカット或いはアイコンをクリックする信号であってもよい。
【０１６０】
その後、端末は、第１信号に応答して、タッチスクリーン上に、電子ファイルの辺縁及び複数の表示要素を含む、当該電子ファイルの辺縁領域を表示する。当該辺縁は、一般的に、電子ファイルの上方辺縁、左方辺縁、或いは、両者の組み合わせを含む。
【０１６１】
一例として、図８Ｂを参考すると、端末は、まず、ショートカットインターフェイス８２を表示し、ここで、当該ショートカットインターフェイス８２には４行３列に配布した１２個のアプリケーションのアイコンが含まれる。ユーザの指により連絡帳・アプリケーションのアイコン８４をクリックすると、第１信号がトリガされる。端末は、第１信号に応答して、タッチスクリーン８３上で、ショートカットインターフェイス８２の表示をキャンセルした後に、電子ファイルを表示する。ここで、当該電子ファイルは、連絡帳・アプリケーションの対話型インターフェイス８６である。当該対話型インターフェイス８６は、左方辺縁８７、上方辺縁８８及び右方辺縁８９を含む。しかし、対話型インターフェイス８６の長さがタッチスクリーン８３の高さより大きいため、下方辺縁は表示されない。
【０１６２】
ステップ８０２において、タッチスクリーン上に作用する対象の移動を検出する。
【０１６３】
当該移動は、辺縁領域中の一つの辺縁から遠くなる移動であってもよい。
【０１６４】
ステップ８０３において、当該移動に応答して、複数の表示要素を当該辺縁から遠くなる方向に引伸ばして表示する。
【０１６５】
本ステップは、ステップ２０３、ステップ３０３、ステップ４０３、及び、ステップ５０３の中のいずれか一ステップを採用して実現してもよい。
【０１６６】
第２の実現方法：
図９Ａは、例示的な別の一実施例に係るタッチスクリーン上のファイル表示方法を示すフローチャートである。当該ファイル表示方法をタッチスクリーンを含む端末に応用する例を挙げて、本実施例を説明する。当該ファイル表示方法は、以下のステップを含んでもよい。
【０１６７】
ステップ９０１において、電子ファイルに切り替えるための第２信号に応答して、タッチスクリーン上に電子ファイルの辺縁領域を表示する。
【０１６８】
端末は、電子ファイルＡが表示されている時に、ユーザによりトリガした電子ファイルＢに切り替えるための第２信号を受信してもよく、ここで、当該第２信号は、電子ファイルＢに対応するショートカット或いはアイコンをクリックする信号であってもよい。
【０１６９】
その後、端末は、第２信号に応答して、タッチスクリーン上に電子ファイルＢの辺縁領域を表示し、ここで、当該辺縁領域には、電子ファイルＢの辺縁及び複数の表示要素が含まれる。当該辺縁は、一般的に、電子ファイルの上方辺縁、左方辺縁、或いは、両者の組み合わせを含む。
【０１７０】
一例として、図９Ｂを参考すると、電子ファイルＡは連絡帳インターフェイスであり、電子ファイルＢは通話記録インターフェイスである。端末は、まず、連絡帳・アプリケーションの連絡帳インターフェイス９２を表示する。ユーザの指により連絡帳インターフェイス９２の上方の通話記録インターフェイス９４に対応するコンポーネント９６をクリックすると、第２信号がトリガされる。端末は、第２信号に応答して、タッチスクリーン９３上で、連絡帳インターフェイス９２を通話記録インターフェイス９４に切り替えして表示する。ここで、当該通話記録インターフェイス９４は、左方辺縁９７、上方辺縁９８及び右方辺縁９９を含む。しかし、通話記録インターフェイス９４の長さはタッチスクリーン９３の高さより大きいため、下方辺縁は表示されない。
【０１７１】
ステップ９０２において、タッチスクリーン上に作用する対象の移動を検出する。
【０１７２】
当該移動は、辺縁領域中の一つの辺縁から遠くなる移動であってもよい。
【０１７３】
ステップ９０３において、当該対象の移動に応答して、複数の表示要素を当該辺縁から遠くなる方向に引伸ばして表示する。
【０１７４】
本ステップは、ステップ２０３、ステップ３０３、ステップ４０３、及び、ステップ５０３の中のいずれか一ステップを採用して実現してもよい。
【０１７５】
第３の実現方法：
図１０Ａは、例示的な別の一実施例に係るタッチスクリーン上のファイル表示方法を示すフローチャートである。当該ファイル表示方法をタッチスクリーンを含む端末に応用する例を挙げて、本実施例を説明する。当該ファイル表示方法は、以下のステップを含んでもよい。
【０１７６】
ステップ１００１において、タッチスクリーン上に電子ファイルの一部の領域を表示する。
【０１７７】
端末は、電子ファイルが表示されている時に、電子ファイルの一部の領域を表示してもよく、当該一部の領域には電子ファイルの一部の表示要素が含まれる。
【０１７８】
一例として、図１０Ｂを参考すると、電子ファイルは通話記録インターフェイス１０２であり、タッチスクリーン１０３上に当該通話記録インターフェイス１０２の一部の領域が表示されている。当該一部の領域には、第２から第８の通話記録行が含まれる。
【０１７９】
ステップ１００２において、タッチスクリーン上に作用する対象の移動を検出する。
【０１８０】
当該対象は、ユーザの指、タッチペン、或いは、タッチスクリーンにより検出できる他の制御対象であってもよい。
【０１８１】
端末は、当該対象が移動すると、タッチスクリーンによって当該対象の移動を検出する。当該移動は、平行移動であってもよい。例えば、当該移動は、辺縁領域中の一つの辺縁から遠くなる移動であってもよい。
【０１８２】
ステップ１００３において、対象の移動に応答して、電子ファイルの一部の領域を平行移動して、辺縁領域を表示する。
【０１８３】
端末は、対象の移動に応答して、電子ファイルを平行移動して表示する。
【０１８４】
例として、図１０Ｃを参考すると、対象がユーザの指である例を挙げると、指がタッチスクリーン１０３上で上方向へ移動する時、端末は、タッチスクリーン１０３を通じて指の移動を検出する。当該移動に応答して、端末は、電子ファイルの一部の領域を上方向へ平行移動して、辺縁領域１０４を表示し、ここで、当該辺縁領域１０４には第３から第９の通話記録行、及び、通話記録インターフェイスの下方辺縁１０６が含まれる。
【０１８５】
ステップ１００４において、タッチスクリーン上に作用する対象の移動を検出する。
【０１８６】
端末は、対象の移動を検出し続ける。ここで、当該移動は、ステップ１００２中の移動と連続的な１回の移動であってもよいし、ステップ１００２中の移動と連続的でない２回の移動であってもよい。
【０１８７】
当該移動は、辺縁領域１０４の中の下方辺縁１０６から遠くなる移動であってもよい。
【０１８８】
ステップ１００５において、対象の移動に応答して、複数の表示要素を当該辺縁から遠くなる方向に引伸ばして表示する。
【０１８９】
端末対象の移動に応答して、複数の表示要素を下方辺縁９６から遠くなる方向に引伸ばして表示する。
【０１９０】
本ステップは、ステップ１０３、ステップ３０３、ステップ４０３、及び、ステップ５０３の中のいずれか一ステップを採用して実現してもよい。
【０１９１】
例として、図１０Ｄを参考すると、端末は、辺縁領域１０４を表示した後、指によりタッチスクリーン１０３上で依然として上方向へ移動すると、当該指の移動に応答して、辺縁領域１０４中の第３から第９の通話記録行を、下方辺縁１０６から遠くなる方向に引伸ばして表示する。
【０１９２】
上記の各方法の実施例に係るファイル表示方法は、いろんなＯＳ上で実現でき、また、各ＯＳ上の下層の実現方法が互いに異なってもよいことを理解する必要がある。
例えば、アンドロイド（Ａｎｄｒｏｉｄ）ＯＳにおいて実現する図２Ｃに示した引き伸ばす効果、即ち、全部の表示要素を同一の引伸ばし比率によって引伸ばし表示する効果は、図１２Ａに示すステップを含んでもよい。
【０１９３】
ステップ１１０１において、対象の移動距離に基づいて、弾性ポテンシャルエネルギー値ｉｎｅｒｔｉａを更新する。
【０１９４】
当該弾性ポテンシャルエネルギー値ｉｎｅｒｔｉａは、表示要素が引伸ばし表示される時の弾力性である。当該弾性ポテンシャルエネルギー値ｉｎｅｒｔｉａの初期値は、０であってもよい。
【０１９５】
電子ファイルを引伸ばし表示する際に、当該弾性ポテンシャルエネルギー値ｉｎｅｒｔｉａとタッチスクリーン上の対象の移動距離とは正の相関関係を有し、つまり、タッチスクリーン上の対象の移動距離の値が大きいほど、当該弾性ポテンシャルエネルギー値ｉｎｅｒｔｉａももっと大きい。
【０１９６】
端末は、所定の時間間隔をあけて、対象の移動距離に基づいて、弾性ポテンシャルエネルギー値ｉｎｅｒｔｉａを更新する。当該所定の時間間隔は、隣接する二つのフレームの表示画面の間の表示間隔未満である。
【０１９７】
ステップ１１０２において、端末は、第ｎフレームの表示画面に対して、現在の弾性ポテンシャルエネルギー値ｉｎｅｒｔｉａに基づいて、引伸ばし比率を算出する。
【０１９８】
表示画面は一つ一つのフレームで表示する。それで、端末は、第ｎフレームの表示画面に対して、現在の弾性ポテンシャルエネルギー値ｉｎｅｒｔｉａに基づいて、引伸ばし比率を算出する。隣接するフレームの間の当該引伸ばし比率の増加速度と、弾性ポテンシャルエネルギー値ｉｎｅｒｔｉａは、負の相関関係を有し、即ち、弾性ポテンシャルエネルギー値ｉｎｅｒｔｉａが大きいほど、隣接するフレームの間の引伸ばし比率の増加速度は小さいし、弾性ポテンシャルエネルギー値ｉｎｅｒｔｉａが小さいほど、隣接するフレームの間の引伸ばし比率の増加速度は大きい。
【０１９９】
ステップ１１０３において、端末は、第１フレームの表示画面を算出した引伸ばし比率によって引き伸ばして、第ｎフレームの表示画面を得る。
【０２００】
端末は、引伸ばし表示しようとする表示要素を一つの容器に収納してもよい。例えば、電子ファイルの全部の表示要素をすべて一つの容器中に収納する。その後、端末は、第１フレームの表示画面を算出した引伸ばし比率によって引き伸ばして、第ｎ（ｎ≧２）フレームの表示画面をえる。
【０２０１】
例として、図１１Ｂを参考すると、第１フレームの表示画面の中の１２個のサムネイルは引き伸ばされていないが、平行移動によって、すでに電子ファイルの辺縁領域が表示されている。タッチスクリーン２３上の指の移動距離がａｃｍであり、この時の弾性ポテンシャルエネルギー値がＡ１であり、端末により弾性ポテンシャルエネルギー値Ａ１に基づいて算出し得た第２フレームの表示画面の引伸ばし比率が１０４％の縦方向の引き伸ばしであると想定する。すると、端末は、１２個のサムネイルが収納された容器全体を縦方向に１０４％引き伸ばして、第２フレームの表示画面を得る。第１フレームの表示画面に対する第２フレームの表示画面の引伸ばし比率の増加速度は、（１０４％-１００％）/ｔ=４％/ｔである。ｔは、隣接する二つのフレーム同士の間の表示時間の差分である。
【０２０２】
その後、第３フレームの表示画面の場合は、タッチスクリーン２３上の指の移動距離がａ+０。２ｃｍであり、この時の弾性ポテンシャルエネルギー値がＡ２（Ａ２＞Ａ１）であり、端末により弾性ポテンシャルエネルギー値Ａ２に基づいて算出し得た第３フレームの表示画面の引伸ばし比率が１０７％の縦方向の引き伸ばしであるとする。すると、端末は、第１フレームの表示画面中の１２個のサムネイルを収納された容器全体を、縦方向に１０７％引き伸ばして、第３フレームの表示画面を得る。当然ながら、指の移動距離が増加されたので、弾性ポテンシャルエネルギー値も増加され、第２フレームの表示画面に対する第３フレームの表示画面の引伸ばし比率の増加速度は、（１０７％-１０４％）/ｔ=３％/ｔであり、引伸ばし比率の増加速度は小さくなっている。
【０２０３】
しかし、単一のフレームの表示画面において、各サムネイルの引伸ばし比率は互いに同一である。
【０２０４】
また、本発明の実施例には、さらに、以下の実施例を含む。
【０２０５】
図１２Ａは、例示的な別の一実施例に係るタッチスクリーン上のファイル表示方法を示すフローチャートである。当該ファイル表示方法をタッチスクリーンを含む端末に応用する例を挙げて、本実施例を説明する。当該ファイル表示方法は、以下のステップを含んでもよい。
【０２０６】
ステップ１２０１において、タッチスクリーン上に電子ファイルの第１領域を表示する。
【０２０７】
端末は、電子ファイルが表示されている際に、電子ファイルの第１領域を表示してもよく、ここで、当該第１領域には電子ファイルの一部の表示要素が含まれる。
【０２０８】
ステップ１２０２において、タッチスクリーン上に作用する対象の移動を検出する。
【０２０９】
端末は、当該対象が移動すると、タッチスクリーンによって当該対象の移動を検出する。当該移動は、平行移動であってもよい。例えば、当該移動は、辺縁領域中の一つの辺縁から遠くなる移動であってもよい。
【０２１０】
ステップ１２０３において、対象の移動に応答して、電子ファイルの第１領域を平行移動して、第２領域を表示する。
【０２１１】
端末対象の移動に応答して、電子ファイルを平行移動して表示する。当該平行移動表示の平行移動速度は、対象の移動速度と同一であってもよい。
【０２１２】
例として、図１２Ｂを参考すると、電子ファイルが通話記録インターフェイス１２２であり、タッチスクリーン１２３上に当該通話記録インターフェイス１２２の第１領域が表示されているとする。当該第１領域には、第１から第７の通話記録行が含まれる。
【０２１３】
対象がユーザの指である例を挙げると、端末は、タッチスクリーン１２３上で指が上方向へ移動すると、タッチスクリーン１２３を通じて指の移動を検出する。端末は、当該指の移動に応答して、電子ファイルの第１領域を上方向に平行移動して、第２領域１２４を表示し、ここで、当該第２領域１２４には第２から第８の通話記録行が含まれる。
【０２１４】
当該方法をアンドロイドＯＳ中で実現すると、平行移動して表示する過程において、端末は、引伸ばし表示は行わないが、弾性ポテンシャルエネルギー値ｉｎｅｒｔｉａと対象の移動速度とが正の相関関係を有するように設定してもよい。例えば、弾性ポテンシャルエネルギー値ｉｎｅｒｔｉａを、隣接する二つのフレームの表示画面の中で、後の一フレームの表示画面に対応する対象位置から、前の一フレームの表示画面に対応する対象位置を減算して得る値に設定してもよい。対象位置とは、タッチスクリーンにおける対象に対応する作用位置である。
【０２１５】
ステップ１２０４において、タッチスクリーン上で対象がもう検出されないと、電子ファイルの第２領域を平行移動し表示し続ける。
【０２１６】
平行移動し表示する過程において、平行移動の速度は対象の移動速度と関連がある。
【０２１７】
端末は、タッチスクリーン上で対象がもう検出されないと、電子ファイルの第２領域を、だんだん減衰する平行移動速度で、平行移動し表示し続ける。平行移動速度は、予め設定した減衰モードによって予め設定した閾値まで次第に減衰してもよく、ここで、当該予め設定した閾値は０であってもよい。予め設定した減衰モードは、一定の速度の減衰モードであってもよい。
【０２１８】
だんだん減衰する平行移動速度によって、電子ファイルの第２領域を平行移動し表示する過程は、ユーザに、「慣性的に」スライドされる効果を与える。
【０２１９】
例として、図１２Ｂを参考すると、端末は、タッチスクリーン１２３上で指が検出されないと、だんだん減衰する平行移動速度によって、第２領域１２４を平行移動し表示し続ける。
【０２２０】
当該方法をアンドロイドＯＳ中で実現すると、端末は、タッチスクリーンを通じて対象がもう検出されないと、予め設定した減衰方法に従って、保存された弾性ポテンシャルエネルギー値を減衰させる。
【０２２１】
ステップ１２０５において、平行移動し表示して、当該辺縁及び複数の表示要素を含む、当該電子ファイルの辺縁領域までに達すると、辺縁領域中の複数の表示要素を、電子ファイルの辺縁から遠くなる方向に引伸ばして表示する。
【０２２２】
だんだん減衰する平行移動速度で、第２領域１２４を平行移動し表示し続ける時に、電子ファイルの辺縁領域に達すると同時に、この時の平行移動速度が０まで減衰されなった場合に、端末は、第１所定期間内に、辺縁領域中の複数の表示要素を、電子ファイルの辺縁から遠くなる方向に引伸ばして表示する。
【０２２３】
例として、図１２Ｂを参考すると、端末は、通話記録インターフェイス１２２中の第２領域１２４を、減衰された後の平行移動速度によって平行移動し表示する。平行移動し表示して、通話記録インターフェイス１２２の辺縁領域１２５に達すると同時に、平行移動速度がまだ０まで減衰されなかった場合、端末は、辺縁領域１２５中の第３から第９の通話記録行を、下方辺縁１２６から遠くなる方向に引伸ばして表示する。
【０２２４】
当該引伸ばし表示過程を、イージング補間アルゴリズムを採用して実現してもよい。当該引伸ばし表示する過程の継続期間は第１所定期間であってもよく、例えば０.２ｓであってもよい。端末は、引伸ばし表示する前に、保存された弾性ポテンシャルエネルギー値をイージング補間アルゴリズムに入力して、当該イージング補間アルゴリズムを利用して、当該弾性ポテンシャルエネルギー値に基づいて引伸ばし表示する過程中の引伸ばし比率を算出してもよい。イージング補間アルゴリズムの実現方式には、いろんな方式があり、本発明の実施例はこれに対して限定しない。
【０２２５】
ステップ１２０６において、引伸ばし表示した後の表示要素を、引き伸ばす前の表示状態に回復する。
【０２２６】
端末は、引伸ばし表示した後、第２所定期間内に、引伸ばし表示した後の表示要素を、引き伸ばす前の表示状態に回復してもよい。
【０２２７】
当該回復表示過程も、イージング補間アルゴリズムを採用して実現してもよい。当該回復表示過程の継続期間は、予め設定した値であってもよく、例えば０．４ｓであってもよい。当該回復表示過程を、上記の引伸ばし表示の逆の過程と見なしてもよい。
【０２２８】
例として、図１２Ｃに示したように、端末が０．４ｓ内に、引伸ばし表示した後の７個の通話記録行を、引き伸ばす前の表示状態に回復する。
【０２２９】
上記のように、本実施例によって提供するファイル表示方法によると、端末により、対象がもう検出されない時に、平行移動表示と引伸ばし表示を引き続き実行することにより、ユーザに、指をタッチスクリーンから離した後にも、電子ファイルの平行移動表示過程がすでに電子ファイルの辺縁領域まで達したことを、明確に了解するようにする。
【０２３０】
同様に、図７Ａの実施例中のステップ７０４も、イージング補間アルゴリズムを採用して実現されてもよい。
【０２３１】
以下は、本発明の装置の実施例であり、本発明の方法の実施例を実行することができる。本発明の装置の実施例において記述していない細部内容に対しては、本発明の方法の実施例を参照してください。
【０２３２】
図１３は、例示的な一実施例に係るタッチスクリーン上のファイル表示装置を示すブロック図である。当該ファイル表示装置は、ソフトウェア、ハードウェア、或いは、両者の組み合わせによって、タッチスクリーンの電子機器の一部或いは全部を実現してもよい。
【０２３３】
当該ファイル表示装置は、
タッチスクリーン上に、電子ファイルの辺縁及び複数の表示要素を含む、当該電子ファイルの辺縁領域を表示するための領域表示モジュール１３２０と、
タッチスクリーン上に作用する対象の移動を検出するための移動検出モジュール１３４０と、
対象の移動に応答して、複数の表示要素を辺縁から遠くなる方向に引伸ばして表示するための引伸ばし表示モジュール１３６０と
を備えてもよい。
【０２３４】
上記のように、本実施例によって提供するファイル表示装置によると、既に電子ファイルの辺縁領域まで表示した際に、複数の表示要素を電子ファイルの辺縁から遠くなる方向に引伸ばして表示して、ユーザの平行移動操作に対する応答とすることにより、ユーザに、既に電子ファイルの辺縁まで表示されたことを明確に通知できて、ユーザの実際に操作意味がない平行移動操作の繰り返し実行を避けて、ユーザの操作効率を高めた。
【０２３５】
図１４は、例示的な一実施例に係るタッチスクリーン上のファイル表示装置を示すブロック図である。当該ファイル表示装置は、ソフトウェア、ハードウェア、或いは、両者の組み合わせによって、タッチスクリーンの電子機器の一部或いは全部を実現してもよい。
【０２３６】
当該ファイル表示装置は、
タッチスクリーン上に、電子ファイルの辺縁及び複数の表示要素を含む、当該電子ファイルの辺縁領域を表示するための領域表示モジュール１３２０と、
タッチスクリーン上に作用する対象の移動を検出するための移動検出モジュール１３４０と、
対象の移動に応答して、複数の表示要素を辺縁から遠くなる方向に引伸ばして表示するための引伸ばし表示モジュール１３６０と
を備えてもよい。
【０２３７】
第１の実現方法において、引伸ばし表示モジュール１３６０は、辺縁領域中の全部の表示要素を、辺縁から遠くなる方向に引伸ばして表示する。
【０２３８】
第２の実現方法において、引伸ばし表示モジュール１３６０は、辺縁から最も近いｎ（ｎは正の整数である）行の表示要素の表示状態をそのまま維持し、辺縁から最も近いｎ行の表示要素以外の他の行の表示要素を、辺縁から遠くなる方向に引伸ばして表示する。
【０２３９】
第１と第２の実現方法において、各々の表示要素に対する引伸ばし比率が同一であるか、或いは、各々の表示要素に対する引伸ばし比率と、要素と辺縁との間の距離である第１距離とは、正の相関関係を有する。
【０２４０】
第３の実現方法において、引伸ばし表示モジュール１３６０は、辺縁と対象位置との間に位置する表示要素を、辺縁から遠くなる方向に引伸ばして表示し、
ここで、対象位置は、タッチスクリーンにおける対象に対応する作用位置である。
【０２４１】
第４の実現方法において、引伸ばし表示モジュール１３６０は、辺縁と対象位置との間に位置する表示要素の中から、辺縁から最も近いｎ（ｎは正の整数である）行の表示要素以外の他の行の表示要素を、辺縁から遠くなる方向に引伸ばして表示し、
ここで、対象位置は、タッチスクリーンにおける対象に対応する作用位置である。
【０２４２】
第３と第４の実現方法において、各々の表示要素に対する引伸ばし比率が同一であるか、
或いは、各々の表示要素に対する引伸ばし比率と、要素と辺縁との間の距離である第１距離とは、正の相関関係を有するか、
或いは、各々の表示要素に対する引伸ばし比率と、辺縁に垂直な直線上の表示要素と対象位置とのマッピング距離である第２距離とが、正の相関関係を有する。
【０２４３】
オプションとして、当該装置は、
電子ファイルの辺縁の表示状態をそのまま維持するための維持モジュール１３５０をさらに備える。
【０２４４】
オプションとして、当該装置は、
タッチスクリーン上で対象がもう検出されないと、引伸ばし表示した後の表示要素を、引き伸ばす前の表示状態に回復するための回復表示モジュール１３８０をさらに備える。
【０２４５】
或いは、
タッチスクリーン上で対象がもう検出されないと、引伸ばし表示した後の表示要素を、少なくとも１回弾性的に伸び縮み表示してから、引き伸ばす前の表示状態に回復するための回復表示モジュール１３８０をさらに備える。
【０２４６】
オプションとして、当該装置は、
タッチスクリーン上で対象がもう検出されないと、第１所定期間内に、複数の表示要素を引伸ばし表示し続けるための第１引伸ばしモジュール１３９２と、
第２所定期間内に、引伸ばし表示した後の表示要素を、引き伸ばす前の表示状態に回復するための第２回復モジュール１３９４と
をさらに備える。
【０２４７】
オプションとして、領域表示モジュール１３２０は、
電子ファイルを開くための第１信号に応答して、タッチスクリーン上に電子ファイルの辺縁領域を表示するための第１表示サブモジュール１３２２、或いは、
電子ファイルに切り替えるための第２信号に応答して、タッチスクリーン上に電子ファイルの辺縁領域を表示するための第２表示サブモジュール１３２４、或いは、
タッチスクリーン上に電子ファイルの一部の領域を表示し、タッチスクリーン上に作用する対象の移動を検出して、対象の移動に応答して、電子ファイルの一部の領域を平行移動して、辺縁領域を表示するための第３表示サブモジュール１３２６
を備える。
【０２４８】
上記のように、本実施例によって提供するファイル表示装置によると、既に電子ファイルの辺縁領域まで表示した際に、複数の表示要素を電子ファイルの辺縁から遠くなる方向に引伸ばして表示して、ユーザの平行移動操作に対する応答とすることにより、ユーザに、既に電子ファイルの辺縁まで表示されたことを明確に通知できて、ユーザの実際に操作意味がない平行移動操作の繰り返し実行を避けて、ユーザの操作効率を高めた。
【０２４９】
本実施例によって提供するファイル表示装置によると、さらに、引伸ばし表示した後の表示要素を、引き伸ばす前の表示状態に回復することにより、ユーザに既に電子ファイルの辺縁まで表示されたことを明確に通知した後に引き伸ばす前の表示状態に回復させることにより、ユーザの他の操作の実行を便利にした。
【０２５０】
図１５は、例示的な一実施例に係るタッチスクリーン上のファイル表示装置を示すブロック図である。当該ファイル表示装置は、ソフトウェア、ハードウェア、或いは、両者の組み合わせによって、タッチスクリーンの電子機器の一部或いは全部を実現してもよい。
【０２５１】
当該ファイル表示装置は、
タッチスクリーン上に電子ファイルの第１領域を表示するための領域表示モジュール１５１０と、
タッチスクリーン上に作用する対象の移動を検出するための移動検出モジュール１５２０と、
対象の移動に応答して、電子ファイルの第１領域を平行移動して第２領域を表示するための第２表示モジュール１５３０と、
タッチスクリーン上で対象がもう検出されないと、電子ファイルの第２領域を平行移動し表示し続けるための平行移動表示モジュール１５４０と、
平行移動し表示して、辺縁及び複数の表示要素を含む、当該電子ファイルの辺縁領域まで達すると、辺縁領域中の複数の表示要素を、電子ファイルの辺縁から遠くなる方向に引伸ばして表示するための引伸ばし表示モジュール１５５０と、
引伸ばし表示した後の表示要素を、引き伸ばす前の表示状態に回復するための回復表示モジュール１５６０と、
を備える。
【０２５２】
上記のように、本実施例によって提供するファイル表示装置によると、端末により、対象がもう検出されない時に、平行移動表示と引伸ばし表示を引き続けて実行することにより、ユーザに、指をタッチスクリーンから離した後にも、電子ファイルの平行移動表示過程がすでに電子ファイルの辺縁領域まで達したことを、明確に了解するようにする。
【０２５３】
上記の実施例の装置について、その各モジュールが実行する操作の具体的な形態は既に当該方法に関する実施例において詳細に説明したため、ここでは詳細に説明しない。
【０２５４】
図１６は、例示的な一実施例に係るタッチスクリーン上のファイル表示装置１６００を示すブロック図である。例えば、装置１６００は、携帯電話、コンピュータ、デジタル放送端末、メッセージ送受信デバイス、ゲームコンソール、タブレットデバイス、医療機器、フィットネス機器、パーソナルデジタルアシスタント等であってもよい。
【０２５５】
図１６を参照して、装置１６００は、処理ユニット１６０２、メモリ１６０４、電源ユニット１６０６、マルチメディアユニット１６０８、オーディオユニット１６１０、入出力（Ｉ／Ｏ）インターフェイス１６１２、センサユニット１６１４、及び通信ユニット１６１６のような一つ以上のユニットを含んでよい。
【０２５６】
処理ユニット１６０２は、一般的には装置１６００の全体の移動を制御するものであり、例えば、表示、電話呼び出し、データ通信、カメラ移動、及び記録移動と関連する移動を制御する。処理ユニット１６０２は、一つ以上のプロセッサ１６２０を含み、これらによって命令を実行することにより、上記の方法の全部、或は一部のステップを実現するようにしてもよい。なお、処理ユニット１６０２は、一つ以上のモジュールを含み、これらによって処理ユニット１６０２と他のユニットの間のインタラクションを容易にするようにしてもよい。例えば、処理ユニット１６０２は、マルチメディアモジュールを含み、これらによってマルチメディアユニット１６０８と処理ユニット１６０２の間のインタラクションを容易にするようにしてもよい。
【０２５７】
メモリ１６０４は、各種類のデータを記憶することにより装置１６００の移動を支援するように構成される。これらのデータの例は、装置１６００において移動するいずれのアプリケーションプログラム又は方法の命令、連絡対象データ、電話帳データ、メッセージ、画像、ビデオ等を含む。メモリ１６０４は、いずれの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクである。
【０２５８】
電源ユニット１６０６は、装置１６００の多様なユニットに電力を供給する。電源ユニット１６０６は、電源管理システム、一つ以上の電源、及び装置１６００のための電力の生成、管理及び割り当てに関連付けられている他のユニットを含んでもよい。
【０２５９】
マルチメディアユニット１６０８は、前記装置１６００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スワイプ、及びタッチパネル上のジェスチャを検出することができる。前記タッチセンサは、タッチ、或はスワイプの移動の境界だけでなく、前記のタッチ、或はスワイプ操作に係る継続時間及び圧力も検出できる。上記の実施例において、マルチメディアユニット１６０８は、一つのフロントカメラ、及び／又はリアカメラを含む。装置１６００が、例えば撮影モード、或はビデオモード等の移動モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０２６０】
オーディオユニット１６１０は、オーディオ信号を入出力するように構成されてもよい。例えば、オーディオユニット１６１０は、一つのマイク（ＭＩＣ）を含み、装置１６００が、例えば呼出しモード、記録モード、及び音声認識モード等の移動モードにある場合、マイクは外部のオーディオ信号を受信することができる。受信されたオーディオ信号は、さらにメモリ１６０４に記憶されたり、通信ユニット１６１６を介して送信されたりされる。上記の実施例において、オーディオユニット１６１０は、オーディオ信号を出力するための一つのスピーカーをさらに含む。
【０２６１】
Ｉ／Ｏインターフェイス１６１２は、処理ユニット１６０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、作動ボタン、ロッキングボタンを含んでもよいが、これらに限定されない。
【０２６２】
センサユニット１６１４は、装置１６００に各種の状態に対する評価を提供するための一つ以上のセンサを含む。例えば、センサユニット１６１４は、装置１６００のＯＮ／ＯＦＦ状態、装置１６００のディスプレイとキーパッドのようなユニットの相対的な位置決めを検出できる。また、例えば、センサユニット１６１４は、装置１６００、或は装置１６００の一つのユニットの位置変更、ユーザと装置１６００とが接触しているか否か、装置１６００の方位、又は加速／減速、装置１６００の温度の変化を検出できる。センサユニット１６１４は、何れの物理的接触がない状態にて付近の物体の存在を検出するための近接センサを含んでもよい。センサユニット１６１４は、撮影アプリケーションに適用するため、ＣＭＯＳ、又はＣＣＤ画像センサのような光センサを含んでもよい。上記の実施例において、当該センサユニット１６１４は、加速度センサ、ジャイロスコープセンサ、磁気センサ、圧力センサ、及び温度センサをさらに含んでもよい。
【０２６３】
通信ユニット１６１６は、装置１６００と他の機器の間に有線、又は利便性のよい形態の通信を提供する。装置１６００は、例えばＷｉＦｉ（登録商標）、２Ｇ、３Ｇ、或はこれらの組み合わせのような、通信規格に基づいた無線ネットワークに接続されてもよい。一つの例示的な実施例において、通信ユニット１６１６は、放送チャンネルを介して外部の放送管理システムからの放送信号、又は放送に関連する情報を受信する。一つの例示的な実施例において、前記通信ユニット１６１６は、近距離無線通信（ＮＦＣ）モジュールをさらに含むことにより、近距離通信を可能にする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、他の技術に基づいて実現できる。
【０２６４】
例示的な実施例において、装置１６００は、一つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０２６５】
例示的な実施例において、さらに、命令を含むコンピュータ読取り可能な非一時的な記録媒体、例えば命令を含むメモリ１６０４を提供しており、装置１６００のプロセッサ１６２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク（登録商標）、光データ記憶デバイス等である。
【０２６６】
コンピュータ読取り可能な非一時的な記録媒体は、当該記録媒体中の命令が装置１６００のプロセッサによって実行される際に、装置１６００に、ファイル表示方法を実行させる。
【０２６７】
当業者は、ハードウェアによって上記実施例を実現するステップの全体又はその一部を実行してもよいし、プログラムにより関連するハードウェアを指定して実行するようにしてもよいし、上記プログラムを不揮発性の読取可能である記憶媒体に記憶させてもよいし、以上に言及した記憶媒体としては、ＲＯＭ、磁気ディスク又は光ディスク等が挙げられると、理解するべきである。
【０２６８】
上述の内容は本発明の比較的適切な実施例に過ぎず、本発明を制限するものではなく、本発明の旨及び原則内で行う如何なる修正、同等の置換、改善等は本発明の保護範囲内に含まれる。
本願は、出願番号がＣＮ２０１５１００５０３３１．０であって、出願日が２０１５年１月３０日である中国特許出願に基づいて優先権を主張し、当該中国特許出願のすべての内容を援用する。
【手続補正２】
【補正対象書類名】特許請求の範囲
【補正対象項目名】全文
【補正方法】変更
【補正の内容】
【特許請求の範囲】
【請求項１】
タッチスクリーン上に、電子ファイルの辺縁及び複数の表示要素を含む、前記電子ファイルの辺縁領域を表示するステップと、
前記タッチスクリーン上に作用する対象の移動を検出するステップと、
前記対象の移動に応答して、前記複数の表示要素を前記辺縁から遠くなる方向に引伸ばして表示するステップと
を含むことを特徴とするタッチスクリーン上のファイル表示方法。
【請求項２】
前記複数の表示要素を前記辺縁から遠くなる方向に引伸ばして表示するステップは、
前記辺縁領域中の全部の表示要素を、前記辺縁から遠くなる方向に引伸ばして表示するステップ
を含むことを特徴とする請求項１に記載のタッチスクリーン上のファイル表示方法。
【請求項３】
前記複数の表示要素を前記辺縁から遠くなる方向に引伸ばして表示するステップは、
前記辺縁から最も近いｎ（ｎは正の整数である）行の表示要素の表示状態をそのまま維持するステップと、
前記辺縁から最も近いｎ行の表示要素以外の他の行の表示要素を、前記辺縁から遠くなる方向に引伸ばして表示するステップと
を含むことを特徴とする請求項１に記載のタッチスクリーン上のファイル表示方法。
【請求項４】
前記複数の表示要素を前記辺縁から遠くなる方向に引伸ばして表示するステップは、
前記辺縁と対象位置との間に位置する表示要素を、前記辺縁から遠くなる方向に引伸ばして表示するステップを含み、
ここで、前記対象位置は、前記タッチスクリーンにおける前記対象に対応する作用位置である
ことを特徴とする請求項１に記載のタッチスクリーン上のファイル表示方法。
【請求項５】
前記複数の表示要素を前記辺縁から遠くなる方向に引伸ばして表示するステップは、
前記辺縁と対象位置との間に位置する表示要素の中の、前記辺縁から最も近いｎ（ｎは正の整数である）行の表示要素以外の他の行の表示要素を、前記辺縁から遠くなる方向に引伸ばして表示するステップを含み、
ここで、前記対象位置は、前記タッチスクリーン上における前記対象に対応する作用位置である。
ことを特徴とする請求項１に記載のタッチスクリーン上のファイル表示方法。
【請求項６】
各々の表示要素に対する引伸ばし比率が同一であるか、
或いは、
各々の表示要素に対する引伸ばし比率と、前記表示要素から前記辺縁までの距離である第１距離とが、正の相関関係を有する、
ことを特徴とする請求項２又は３に記載のタッチスクリーン上のファイル表示方法。
【請求項７】
各々の表示要素に対する引伸ばし比率が同一であるか、
或いは、
各々の表示要素に対する引伸ばし比率と、前記表示要素から前記辺縁までの距離である第１距離とが、正の相関関係を有するか、
或いは、
各々の表示要素に対する引伸ばし比率と、前記辺縁に垂直な直線上の前記表示要素から前記対象位置までのマッピング距離である第２距離とが、正の相関関係を有する、
ことを特徴とする請求項４又は５に記載のタッチスクリーン上のファイル表示方法。
【請求項８】
前記電子ファイルの辺縁の表示状態をそのまま維持するステップを
さらに含むことを特徴とする請求項１乃至７のいずれか１項に記載のタッチスクリーン上のファイル表示方法。
【請求項９】
前記タッチスクリーン上で前記対象がもう検出されないと、引伸ばし表示した後の表示要素を、引き伸ばす前の表示状態に回復するステップ
をさらに含むことを特徴とする請求項１乃至８のいずれか１項に記載のタッチスクリーン上のファイル表示方法。
【請求項１０】
前記タッチスクリーン上で前記対象がもう検出されないと、引伸ばし表示した後の表示要素を、引き伸ばす前の表示状態に回復するステップは、
前記タッチスクリーン上で前記対象がもう検出されないと、前記引伸ばし表示した後の表示要素を、少なくとも１回弾性的に伸び縮み表示してから、引き伸ばす前の表示状態に回復するステップ
を含むことを特徴とする請求項９に記載のタッチスクリーン上のファイル表示方法。
【請求項１１】
前記タッチスクリーン上で前記対象がもう検出されないと、第１所定期間内に前記複数の表示要素を引伸ばし表示し続けるステップと、
第２所定期間内に、引伸ばし表示した後の表示要素を、引き伸ばす前の表示状態に回復するステップと
をさらに含むことを特徴とする請求項１乃至８のいずれか１項に記載のタッチスクリーン上のファイル表示方法。
【請求項１２】
前記タッチスクリーン上に、電子ファイルの辺縁領域を表示するステップは、
前記電子ファイルを開くための第１信号に応答して、前記タッチスクリーン上に前記電子ファイルの辺縁領域を表示するステップ、
或いは、
前記電子ファイルに切り替えるための第２信号に応答して、前記タッチスクリーン上に前記電子ファイルの辺縁領域を表示するステップ、
或いは、
前記タッチスクリーン上に前記電子ファイルの一部の領域を表示し、前記タッチスクリーン上に作用する対象の移動を検出して、前記移動に応答して、前記電子ファイルの一部の領域を平行移動して前記辺縁領域を表示するステップ
を含むことを特徴とする請求項１乃至１１のいずれか１項に記載のタッチスクリーン上のファイル表示方法。
【請求項１３】
タッチスクリーン上に電子ファイルの第１領域を表示するステップと、
前記タッチスクリーン上に作用する対象の移動を検出するステップと、
前記対象の移動に応答して、前記電子ファイルの第１領域を平行移動して第２領域を表示するステップと、
前記タッチスクリーン上で前記対象がもう検出されないと、前記電子ファイルの第２領域を平行移動し表示し続けるステップと、
平行移動して表示して、前記辺縁及び前記複数の表示要素を含む、前記電子ファイルの辺縁領域までに達すると、前記辺縁領域中の複数の表示要素を、前記電子ファイルの辺縁から遠くなる方向に引伸ばして表示するステップと、
前記引伸ばし表示した後の表示要素を、引き伸ばす前の表示状態に回復するステップと
を含むことを特徴とするタッチスクリーン上のファイル表示方法。
【請求項１４】
タッチスクリーン上に、電子ファイルの辺縁及び複数の表示要素を含む、前記電子ファイルの辺縁領域を表示するための領域表示モジュールと、
前記タッチスクリーン上に作用する対象の移動を検出するための移動検出モジュールと、
前記対象の移動に応答して、前記複数の表示要素を前記辺縁から遠くなる方向に引伸ばして表示するための引伸ばし表示モジュールと
を備えることを特徴とするタッチスクリーン上のファイル表示装置。
【請求項１５】
前記引伸ばし表示モジュールは、前記辺縁領域中の全部の表示要素を、前記辺縁から遠くなる方向に引伸ばして表示する
ことを特徴とする請求項１４に記載のタッチスクリーン上のファイル表示装置。
【請求項１６】
前記引伸ばし表示モジュールは、前記辺縁から最も近いｎ（ｎは正の整数である）行の表示要素の表示状態をそのまま維持し、前記辺縁から最も近いｎ行の表示要素以外の他の行の表示要素を、前記辺縁から遠くなる方向に引伸ばして表示する
ことを特徴とする請求項１４に記載のタッチスクリーン上のファイル表示装置。
【請求項１７】
前記引伸ばし表示モジュールは、前記辺縁と対象位置との間に位置する表示要素を、前記辺縁から遠くなる方向に引伸ばして表示し、
ここで、前記対象位置は、前記タッチスクリーン上における前記対象に対応する作用位置である
ことを特徴とする請求項１４に記載のタッチスクリーン上のファイル表示装置。
【請求項１８】
前記引伸ばし表示モジュールは、前記辺縁と対象位置との間に位置する表示要素の中の、前記辺縁から最も近いｎ（ｎは正の整数である）行の表示要素以外の他の行の表示要素を、前記辺縁から遠くなる方向に引伸ばして表示し、
ここで、前記対象位置は、前記タッチスクリーン上における前記対象に対応する作用位置である
ことを特徴とする請求項１４に記載のタッチスクリーン上のファイル表示装置。
【請求項１９】
各々の表示要素に対する引伸ばし比率が同一であるか、
或いは、
各々の表示要素に対する引伸ばし比率と、前記表示要素から前記辺縁までの距離である第１距離とが、正の相関関係を有する
ことを特徴とする請求項１５又は１６に記載のタッチスクリーン上のファイル表示装置。
【請求項２０】
各々の表示要素に対する引伸ばし比率が同一であるか、
或いは、
各々の表示要素に対する引伸ばし比率と、前記表示要素から前記辺縁までの距離である第１距離とが、正の相関関係を有するか、
或いは、
各々の表示要素に対する引伸ばし比率と、前記辺縁に垂直な直線上の前記表示要素から前記対象位置までのマッピング距離である第２距離とが、正の相関関係を有する
ことを特徴とする請求項１７又は１８に記載のタッチスクリーン上のファイル表示装置。
【請求項２１】
前記電子ファイルの辺縁の表示状態をそのまま維持するための維持モジュール
をさらに備えることを特徴とする請求項１４乃至２０のいずれか１項に記載のタッチスクリーン上のファイル表示装置。
【請求項２２】
前記タッチスクリーン上で前記対象がもう検出されないと、引伸ばし表示した後の表示要素を、引き伸ばす前の表示状態に回復するための回復表示モジュール
をさらに備えることを特徴とする請求項１４乃至２１のいずれか１項に記載のタッチスクリーン上のファイル表示装置。
【請求項２３】
前記回復表示モジュールは、前記タッチスクリーン上で前記対象がもう検出されないと、前記引伸ばし表示した後の表示要素を、少なくとも１回弾性的に伸び縮み表示してから、引き伸ばす前の表示状態に回復する
ことを特徴とする請求項２２に記載のタッチスクリーン上のファイル表示装置。
【請求項２４】
前記タッチスクリーン上で前記対象がもう検出されないと、第１所定期間内に前記複数の表示要素を引伸ばし表示し続けるための第１引伸ばしモジュールと、
第２所定期間内に、引伸ばし表示した後の表示要素を、引き伸ばす前の表示状態に回復するための第２回復モジュールと
をさらに備えることを特徴とする請求項１４乃至２１のいずれか１項に記載のタッチスクリーン上のファイル表示装置。
【請求項２５】
前記領域表示モジュールは、
前記電子ファイルを開くための第１信号に応答して、前記タッチスクリーン上に前記電子ファイルの辺縁領域を表示するための第１表示サブモジュール、
或いは、
前記電子ファイルに切り替えるための第２信号に応答して、前記タッチスクリーン上に前記電子ファイルの辺縁領域を表示するための第２表示サブモジュール、
或いは、
前記タッチスクリーン上に前記電子ファイルの一部の領域を表示し、前記タッチスクリーン上に作用する対象の移動を検出して、前記対象の移動に応答して、前記電子ファイルの一部の領域を平行移動して前記辺縁領域を表示するための第３表示サブモジュール
を備えることを特徴とする請求項１４乃至２４のいずれか１項に記載のタッチスクリーン上のファイル表示装置。
【請求項２６】
タッチスクリーン上に電子ファイルの第１領域を表示するための領域表示モジュールと、
前記タッチスクリーン上に作用する対象の移動を検出するための移動検出モジュールと、
前記対象の移動に応答して、前記電子ファイルの第１領域を平行移動して第２領域を表示するための第２表示モジュールと、
前記タッチスクリーン上で前記対象がもう検出されないと、前記電子ファイルの第２領域を平行移動し表示し続けるための平行移動表示モジュールと、
平行移動して表示して、前記辺縁及び前記複数の表示要素を含む、前記電子ファイルの辺縁領域までに達すると、前記辺縁領域中の複数の表示要素を、前記電子ファイルの辺縁から遠くなる方向に引伸ばして表示するための引伸ばし表示モジュールと、
前記引伸ばし表示した後の表示要素を、引き伸ばす前の表示状態に回復するための回復表示モジュールと
を備えることを特徴とするタッチスクリーン上のファイル表示装置。
【請求項２７】
プロセッサと、
前記プロセッサが実行可能な命令を記憶するためのメモリと、
前記プロセッサと電気的に接続されたタッチスクリーン
とを備え、
前記プロセッサは、
前記タッチスクリーン上に、電子ファイルの辺縁及び複数の表示要素を含む、前記電子ファイルの辺縁領域を表示し、
前記タッチスクリーン上に作用する対象の移動を検出し、
前記対象の移動に応答して、前記複数の表示要素を前記辺縁から遠くなる方向に引伸ばして表示するように構成される
ことを特徴とするタッチスクリーン上のファイル表示装置。
【請求項２８】
プロセッサと、
前記プロセッサが実行可能な命令を記憶するためのメモリと、
前記プロセッサと電気的に接続されたタッチスクリーン
とを備え、
前記プロセッサは、
前記タッチスクリーン上に電子ファイルの第１領域を表示し、
前記タッチスクリーン上に作用する対象の移動を検出し、
前記対象の移動に応答して、前記電子ファイルの第１領域を平行移動して第２領域を表示し、
前記タッチスクリーン上で前記対象がもう検出されないと、前記電子ファイルの第２領域を平行移動し表示し続け、
平行移動して表示して、前記辺縁及び前記複数の表示要素を含む、前記電子ファイルの辺縁領域までに達すると、前記辺縁領域中の複数の表示要素を、前記電子ファイルの辺縁から遠くなる方向に引伸ばして表示し、
前記引伸ばし表示した後の表示要素を、引き伸ばす前の表示状態に回復するように構成される
ことを特徴とするタッチスクリーン上のファイル表示装置。
【請求項２９】
プロセッサに実行されることにより、請求項１から請求項１４のいずれか１項に記載のタッチスクリーン上のファイル表示方法を実現することを特徴とするプログラム。
【請求項３０】
請求項２９に記載のプログラムが記録された記録媒体。
【国際調査報告】
2017510918.tif 000044
2017510918.tif 000045
2017510918.tif 000046
2017510918.tif 000047